(57)【要約】  本発明の実施形態が、受動光ネットワーク通信方法及び装置並びにシステムを提供する。本方法は、光ネットワークユニットＯＮＵの波長チャネルグループ、及び波長チャネルグループ内の波長チャネルを決定する段階と、第１のメッセージをＯＮＵへ送信する段階とを含み、第１のメッセージは、波長チャネルグループの識別情報、及び波長チャネルグループ内の波長チャネルの識別情報を搬送する。本発明の実施形態において、波長チャネルグループのような論理チャネルグループが確立され、チャネルグループ内のチャネルに障害がある場合、ＯＬＴのスケジューリングモジュールが、チャネルグループ内の別の要素にサービスを迅速且つ容易に再割り当てすることができ、これにより、チャネルインタラクションが回避される。したがって、ＰＯＮシステムの帯域幅スケジューリング効率と帯域幅利用率とが高くなる。
2018526918.tif 000002
【特許請求の範囲】
【請求項１】
受動光ネットワークＰＯＮ通信方法であって、
光ネットワークユニットＯＮＵの波長チャネルグループ、及び前記波長チャネルグループ内の波長チャネルを決定する段階と、
第１のメッセージを前記ＯＮＵへ送信する段階と
を備え、
前記第１のメッセージは、前記波長チャネルグループを確立するよう前記ＯＮＵに命令するために用いられ、前記波長チャネルグループの識別情報、及び前記波長チャネルグループ内の前記波長チャネルの識別情報を搬送する、方法。
【請求項２】
光ネットワークユニットＯＮＵの波長チャネルグループ、及び前記波長チャネルグループ内の波長チャネルを前記決定する段階の前に、
前記方法はさらに、第２のメッセージを前記ＯＮＵへ送信する段階を備え、前記第２のメッセージは、前記波長チャネルの識別子を報告するよう前記ＯＮＵに要求するために用いられる、請求項１に記載の方法。
【請求項３】
前記方法はさらに、第３のメッセージを前記ＯＮＵから受信する段階を備え、前記第３のメッセージは、前記ＯＮＵによって報告された前記波長チャネルの前記識別子を搬送する、請求項１又は２に記載の方法。
【請求項４】
前記方法はさらに、前記ＯＮＵの前記波長チャネルグループと、前記波長チャネルグループ内の前記波長チャネルとの間のマッピング関係を格納するために、波長チャネルグループマッピングテーブルをＯＬＴによってローカルに確立する段階を備える、請求項１から３のいずれか一項に記載の方法。
【請求項５】
前記方法はさらに、第４のメッセージを前記ＯＮＵへ送信する段階を備え、前記第４のメッセージは、前記波長チャネルグループに関する情報を更新するよう前記ＯＮＵに命令するために用いられる、請求項１から４のいずれか一項に記載の方法。
【請求項６】
前記第１のメッセージはさらに、前記ＯＮＵの識別子を搬送する、請求項１から５のいずれか一項に記載の方法。
【請求項７】
前記波長チャネルの前記識別情報は、前記ＯＮＵの波長チャネル番号、前記ＯＮＵの上り波長情報、前記ＯＮＵの下り波長情報、又は前記ＯＮＵの上り波長情報及び下り波長情報である、請求項１から６のいずれか一項に記載の方法。
【請求項８】
前記第１のメッセージ、前記第２のメッセージ、前記第３のメッセージ、又は前記第４のメッセージは、多地点制御プロトコルＭＰＣＰメッセージである、請求項１から７のいずれか一項に記載の方法。
【請求項９】
前記第１のメッセージ、前記第２のメッセージ、前記第３のメッセージ、又は前記第４のメッセージは、物理層運用・管理・保守ＰＬＯＡＭメッセージである、請求項１から７のいずれか一項に記載の方法。
【請求項１０】
前記第１のメッセージ、前記第２のメッセージ、前記第３のメッセージ、又は前記第４のメッセージは、運用・管理・保守ＯＡＭメッセージである、請求項１から７のいずれか一項に記載の方法。
【請求項１１】
前記第１のメッセージ、前記第２のメッセージ、前記第３のメッセージ、又は前記第４のメッセージは、光ネットワーク終端装置管理・制御インタフェースＯＭＣＩメッセージである、請求項１から７のいずれか一項に記載の方法。
【請求項１２】
受動光ネットワークＰＯＮ通信装置であって、
光ネットワークユニットＯＮＵの波長チャネルグループ、及び前記波長チャネルグループ内の波長チャネルを決定するように構成された処理ユニットと、
第１のメッセージを前記ＯＮＵへ送信するように構成された送信ユニットと
を備え、
前記第１のメッセージは、前記波長チャネルグループを確立するよう前記ＯＮＵに命令するために用いられ、前記波長チャネルグループの識別情報、及び前記波長チャネルグループ内の前記波長チャネルの識別情報を搬送する、装置。
【請求項１３】
前記送信ユニットはさらに、第２のメッセージを前記ＯＮＵへ送信するように構成され、前記第２のメッセージは、前記波長チャネルの識別子を報告するよう前記ＯＮＵに要求するために用いられる、請求項１２に記載の装置。
【請求項１４】
前記装置はさらに、第３のメッセージを前記ＯＮＵから受信するように構成された受信ユニットを備え、前記第３のメッセージは、前記ＯＮＵによって報告された前記波長チャネルの前記識別子を搬送する、請求項１２又は１３に記載の装置。
【請求項１５】
前記処理ユニットはさらに、前記ＯＮＵの前記波長チャネルグループと、前記波長チャネルグループ内の前記波長チャネルとの間のマッピング関係を格納するために、波長チャネルグループマッピングテーブルを確立するように構成される、請求項１２から１４のいずれか一項に記載の装置。
【請求項１６】
前記送信ユニットはさらに、前記波長チャネルグループを更新するよう前記ＯＮＵに命令するために、波長チャネルグループ更新メッセージを前記ＯＮＵへ送信するように構成される、請求項１２から１５のいずれか一項に記載の装置。
【請求項１７】
前記第１のメッセージはさらに、前記ＯＮＵの識別子を搬送する、請求項１２から１６のいずれか一項に記載の装置。
【請求項１８】
前記波長チャネルの前記識別子は、前記ＯＮＵの波長チャネル番号、前記ＯＮＵの上り波長情報、前記ＯＮＵの下り波長情報、又は前記ＯＮＵの上り波長情報及び下り波長情報である、請求項１２から１７のいずれか一項に記載の装置。
【請求項１９】
前記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、請求項１２から１８のいずれか一項に記載の装置。
【請求項２０】
受動光ネットワーク通信方法であって、
第１のメッセージを光回線終端装置ＯＬＴから受信する段階であって、前記第１のメッセージは、波長チャネルグループを確立するよう光ネットワークユニットＯＮＵに命令するために用いられ、前記波長チャネルグループの識別子、及び前記波長チャネルグループ内の波長チャネルの識別子を搬送する、段階と、
前記第１のメッセージに従って、前記波長チャネルグループを確立する段階と
を備える、方法。
【請求項２１】
前記方法はさらに、前記光回線終端装置ＯＬＴによって送信された前記第１のメッセージを受信する段階を備え、前記第１のメッセージは、前記波長チャネルの前記識別子を報告するよう前記光ネットワークユニットＯＮＵに要求するために用いられる、請求項２０に記載の方法。
【請求項２２】
前記方法はさらに、前記ＯＮＵの前記波長チャネルの前記識別子を前記ＯＬＴへ送信する段階を備える、請求項２０又は２１に記載の方法。
【請求項２３】
前記方法はさらに、前記ＯＮＵの前記波長チャネルグループと前記波長チャネルとの間のマッピング関係を格納するために、波長チャネルグループマッピングテーブルを前記ＯＮＵによって確立する段階を備える、請求項２０から２２のいずれか一項に記載の方法。
【請求項２４】
前記第１のメッセージはさらに、前記ＯＮＵの識別子を搬送する、請求項２０から２３のいずれか一項に記載の方法。
【請求項２５】
前記波長チャネルの前記識別情報は、前記ＯＮＵの波長チャネル番号、前記ＯＮＵの上り波長情報、前記ＯＮＵの下り波長情報、又は前記ＯＮＵの上り波長情報及び下り波長情報である、請求項２０から２４のいずれか一項に記載の方法。
【請求項２６】
前記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、請求項２０から２５のいずれか一項に記載の方法。
【請求項２７】
受動光ネットワークＰＯＮ通信装置であって、
第１のメッセージをＯＬＴから受信するように構成された受信ユニットであって、前記第１のメッセージは、波長チャネルグループを確立するようＯＮＵに命令するために用いられ、前記波長チャネルグループの識別子、及び前記波長チャネルグループ内の波長チャネルの識別子を搬送する、受信ユニットと、
前記第１のメッセージに従って、前記波長チャネルグループを確立するように構成された処理ユニットと
を備える、装置。
【請求項２８】
前記受信ユニットはさらに、前記光回線終端装置ＯＬＴによって送信された第２のメッセージを受信するように構成され、前記第２のメッセージは、前記波長チャネルの前記識別子を報告するよう前記光ネットワークユニットＯＮＵに要求するために用いられる、請求項２７に記載の装置。
【請求項２９】
前記装置はさらに、前記ＯＮＵの前記波長チャネルの前記識別子を前記ＯＬＴへ送信するように構成された送信ユニットを備える、請求項２７又は２８に記載の装置。
【請求項３０】
前記処理ユニットはさらに、波長チャネルグループと波長チャネルとの間のマッピング関係に関する情報を格納するために、波長チャネルグループマッピングテーブルを確立するように構成される、請求項２７から２９のいずれか一項に記載の装置。
【請求項３１】
前記第１のメッセージはさらに、前記ＯＮＵの識別子を搬送する、請求項２７から３０のいずれか一項に記載の装置。
【請求項３２】
前記波長チャネルの前記識別情報は、前記ＯＮＵの波長チャネル番号、前記ＯＮＵの上り波長情報、前記ＯＮＵの下り波長情報、又は前記ＯＮＵの上り波長情報及び下り波長情報である、請求項２７から３１のいずれか一項に記載の装置。
【請求項３３】
前記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、請求項２７から３２のいずれか一項に記載の装置。
【請求項３４】
受動光ネットワークＰＯＮシステムであって、光回線終端装置ＯＬＴと、少なくとも１つの光ネットワークユニットＯＮＵとを備え、前記ＯＬＴは、光分配ネットワークＯＤＮを用いて、前記少なくとも１つのＯＮＵに接続され、前記ＯＬＴは、請求項１２から１９のいずれか一項に記載の装置であり、前記ＯＮＵは、請求項２７から３３のいずれか一項に記載の装置である、システム。
【発明の詳細な説明】
【技術分野】
【０００１】
本発明の実施形態は、光通信技術に関するものであり、特に、受動光ネットワーク通信の方法及び装置並びにシステムに関するものである。
【背景技術】
【０００２】
光通信技術が急速に発展するにつれて、受動光ネットワーク（ＰＯＮ）システムが、より広く光通信技術に適用されている。ＰＯＮシステムは、時分割多重化（ＴＤＭ）ＰＯＮ、ギガビット受動光ネットワーク（ＧＰＯＮ）、１０Ｇ−ＧＰＯＮ、イーサネット（登録商標）受動光ネットワーク（ＥＰＯＮ）、１０Ｇ−ＥＰＯＮ、時間波長分割多重化（ＴＷＤＭ）ＰＯＮ、ポイントツーポイント（ＰｔＰ）ＰＯＮ、波長分割多重化（ＷＤＭ）ＰＯＮなどを含んでよい。
【０００３】
図１に示されるように、ＰＯＮシステムのタイプごとに、ＰＯＮシステムは、中央局に位置する光回線終端装置（ＯＬＴ）、受動光デバイスを含む光分配ネットワーク（ＯＤＮ）、及びユーザ側の光ネットワークユニット（ＯＮＵ）／光ネットワーク終端装置（ＯＮＴ）を含んでよい。ＯＮＵは、ＯＮＵ及び／又はＯＮＴを表すのに用いられてよい。
【０００４】
一般的なＰＯＮでは、ＯＮＵは１つの波長チャネルのみを有する（１つの波長チャネルは、１つの下り波長及び１つの上り波長を含む）。この場合、ＯＮＵの最大帯域幅は、わずか１０Ｇｂｐｓである。既存のＰＯＮによって提供される帯域幅では、ユーザの高帯域幅要求を満たすことができない。したがって、どのように高帯域幅を提供してサービス共有を実現するかが、解決すべき緊急の技術的課題である。
【発明の概要】
【０００５】
業界においてＯＮＵの帯域幅が１０Ｇより大きいことが必要とされる場合、ＯＮＵが少なくとも１つの波長チャネルでより十分に動作することを可能にするために、本発明の実施形態が、受動光ネットワーク通信の方法及び装置並びにシステムを提供する。
【０００６】
第１の態様が、受動光ネットワーク通信方法を提供し、本方法は、光ネットワークユニットＯＮＵの波長チャネルグループ、及び波長チャネルグループ内の波長チャネルを決定する段階と、第１のメッセージをＯＮＵへ送信する段階とを含み、第１のメッセージは、波長チャネルグループを確立するようＯＮＵに命令するために用いられ、波長チャネルグループの識別情報、及び波長チャネルグループ内の波長チャネルの識別情報を搬送する。
【０００７】
第１の態様に関連して、第１の態様の第１の可能な実装態様では、光ネットワークユニットＯＮＵの波長チャネルグループ、及び波長チャネルグループ内の波長チャネルを決定する段階の前に、本方法はさらに、第２のメッセージをＯＮＵへ送信する段階を含み、第２のメッセージは、波長チャネルの識別子を報告するようＯＮＵに要求するために用いられる。
【０００８】
第１の態様又は第１の態様の第１の可能な実装態様に関連して、第１の態様の第２の可能な実装態様では、本方法はさらに、第３のメッセージをＯＮＵから受信する段階を含み、第３のメッセージは、ＯＮＵによって報告された波長チャネルの識別子を搬送する。
【０００９】
第１の態様又は第１の態様の任意の可能な実装態様に関連して、第１の態様の第３の可能な実装態様では、本方法はさらに、ＯＮＵの波長チャネルグループと波長チャネルグループ内の波長チャネルとの間のマッピング関係を格納するために、波長チャネルグループマッピングテーブルをＯＬＴによってローカルに確立する段階を含む。
【００１０】
第１の態様又は第１の態様の任意の可能な実装態様に関連して、第１の態様の第４の可能な実装態様では、本方法はさらに、第４のメッセージをＯＮＵへ送信する段階を含み、第４のメッセージは、波長チャネルグループに関する情報を更新するようＯＮＵに命令するために用いられる。
【００１１】
第１の態様又は第１の態様の任意の可能な実装態様に関連して、第１の態様の第５の可能な実装態様では、第１のメッセージはさらに、ＯＮＵの識別子を搬送する。
【００１２】
第１の態様又は第１の態様の任意の可能な実装態様に関連して、第１の態様の第６の可能な実装態様では、波長チャネルの識別情報は、ＯＮＵの波長チャネル番号、ＯＮＵの上り波長情報、ＯＮＵの下り波長情報、又はＯＮＵの上り波長情報及び下り波長情報である。
【００１３】
第１の態様又は第１の態様の第１から第６の可能な実装態様のうちいずれか１つに関連して、第１の態様の第７の可能な実装態様では、第１のメッセージ、第２のメッセージ、第３のメッセージ、又は第４のメッセージは、多地点制御プロトコルＭＰＣＰメッセージである。
【００１４】
第１の態様又は第１の態様の第１から第６の可能な実装態様のうちいずれか１つに関連して、第１の態様の第８の可能な実装態様では、第１のメッセージ、第２のメッセージ、第３のメッセージ、又は第４のメッセージは、物理層運用・管理・保守ＰＬＯＡＭメッセージである。
【００１５】
第１の態様又は第１の態様の第１から第６の可能な実装態様のうちいずれか１つに関連して、第１の態様の第９の可能な実装態様では、第１のメッセージ、第２のメッセージ、第３のメッセージ、又は第４のメッセージは、運用・管理・保守ＯＡＭメッセージである。
【００１６】
第１の態様又は第１の態様の第１から第６の可能な実装態様のうちいずれか１つに関連して、第１の態様の第１０の可能な実装態様では、第１のメッセージ、第２のメッセージ、第３のメッセージ、又は第４のメッセージは、光ネットワーク終端装置管理・制御インタフェースＯＭＣＩメッセージである。
【００１７】
第２の態様が、受動光ネットワークＰＯＮ通信装置を提供し、本装置は、光ネットワークユニットＯＮＵの波長チャネルグループ、及び波長チャネルグループ内の波長チャネルを決定するように構成された処理ユニットと、第１のメッセージをＯＮＵへ送信するように構成された送信ユニットとを含み、第１のメッセージは、波長チャネルグループを確立するようＯＮＵに命令するために用いられ、波長チャネルグループの識別情報、及び波長チャネルグループ内の波長チャネルの識別情報を搬送する。
【００１８】
第２の態様に関連して、第２の態様の第１の可能な実装態様では、送信ユニットはさらに、第２のメッセージをＯＮＵへ送信するように構成されており、第２のメッセージは、波長チャネルの識別子を報告するようＯＮＵに要求するために用いられる。
【００１９】
第２の態様又は第２の態様の第１の可能な実装態様に関連して、第２の態様の第２の可能な実装態様では、本装置はさらに、第３のメッセージをＯＮＵから受信するように構成された受信ユニットを含み、第３のメッセージは、ＯＮＵの波長チャネルの識別子を搬送する。
【００２０】
第２の態様又は第２の態様の任意の可能な実装態様に関連して、第２の態様の第３の可能な実装態様では、処理ユニットはさらに、ＯＮＵの波長チャネルグループと波長チャネルグループ内の波長チャネルとの間のマッピング関係を格納するために、波長チャネルグループマッピングテーブルを確立するように構成される。
【００２１】
第２の態様又は第２の態様の任意の可能な実装態様に関連して、第２の態様の第４の可能な実装態様では、送信ユニットはさらに、波長チャネルグループを更新するようＯＮＵに命令するために、波長チャネルグループ更新メッセージをＯＮＵへ送信するように構成される。
【００２２】
第２の態様又は第２の態様の任意の可能な実装態様に関連して、第２の態様の第５の可能な実装態様では、第１のメッセージはさらに、ＯＮＵの識別子を搬送する。
【００２３】
第２の態様又は第２の態様の任意の可能な実装態様に関連して、第２の態様の第６の可能な実装態様では、波長チャネルの識別子は、ＯＮＵの波長チャネル番号、ＯＮＵの上り波長情報、ＯＮＵの下り波長情報、又はＯＮＵの上り波長情報及び下り波長情報である。
【００２４】
第２の態様又は第２の態様の任意の可能な実装態様に関連して、第２の態様の第７の可能な実装態様では、第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである。
【００２５】
第３の態様が、受動光ネットワーク通信方法を提供し、本方法は、第１のメッセージを光回線終端装置ＯＬＴから受信する段階であって、第１のメッセージは、波長チャネルグループを確立するよう光ネットワークユニットＯＮＵに命令するために用いられ、波長チャネルグループの識別子、及び波長チャネルグループ内の波長チャネルの識別子を搬送する、段階と、第１のメッセージに従って波長チャネルグループを確立する段階とを含む。
【００２６】
第３の態様に関連して、第３の態様の第１の可能な実装態様では、本方法はさらに、光回線終端装置ＯＬＴによって送信された第１のメッセージを受信する段階を含み、第１のメッセージは、波長チャネルの識別子を報告するよう光ネットワークユニットＯＮＵに要求するために用いられる。
【００２７】
第３の態様又は第３の態様の第１の可能な実装態様に関連して、第３の態様の第２の可能な実装態様では、本方法はさらに、ＯＮＵの波長チャネルの識別子をＯＬＴへ送信する段階を含む。
【００２８】
第３の態様又は第３の態様の任意の可能な実装態様に関連して、第３の態様の第３の可能な実装態様では、本方法はさらに、ＯＮＵの波長チャネルグループと波長チャネルとの間のマッピング関係を格納するために、波長チャネルグループマッピングテーブルをＯＮＵによって確立する段階を含む。
【００２９】
第３の態様又は第３の態様の任意の可能な実装態様に関連して、第３の態様の第４の可能な実装態様では、第１のメッセージはさらに、ＯＮＵの識別子を搬送する。
【００３０】
第３の態様又は第３の態様の任意の可能な実装態様に関連して、第３の態様の第５の可能な実装態様では、波長チャネルの識別情報は、ＯＮＵの波長チャネル番号、ＯＮＵの上り波長情報、ＯＮＵの下り波長情報、又はＯＮＵの上り波長情報及び下り波長情報である。
【００３１】
第３の態様又は第３の態様の任意の可能な実装態様に関連して、第３の態様の第６の可能な実装態様では、第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである。
【００３２】
第４の態様が、受動光ネットワークＰＯＮ通信装置を提供し、本装置は、第１のメッセージをＯＬＴから受信するように構成された受信ユニットであって、第１のメッセージは、波長チャネルグループを確立するようＯＮＵに命令するために用いられ、波長チャネルグループの識別子、及び波長チャネルグループ内の波長チャネルの識別子を搬送する、受信ユニットと、第１のメッセージに従って波長チャネルグループを確立するように構成された処理ユニットとを含む。
【００３３】
第４の態様に関連して、第４の態様の第１の可能な実装態様では、受信ユニットはさらに、光回線終端装置ＯＬＴによって送信された第２のメッセージを受信するように構成され、第２のメッセージは、波長チャネルの識別子を報告するよう光ネットワークユニットＯＮＵに要求するために用いられる。
【００３４】
第４の態様又は第４の態様の第１の可能な実装態様に関連して、第４の態様の第２の可能な実装態様では、本装置はさらに、ＯＮＵの波長チャネルの識別子をＯＬＴへ送信するように構成された送信ユニットを含む。
【００３５】
第４の態様又は第４の態様の任意の可能な実装態様に関連して、第４の態様の第３の可能な実装態様では、処理ユニットはさらに、波長チャネルグループと波長チャネルとの間のマッピング関係に関する情報を格納するために、波長チャネルグループマッピングテーブルを確立するように構成される。
【００３６】
第４の態様又は第４の態様の任意の可能な実装態様に関連して、第４の態様の第４の可能な実装態様では、第１のメッセージはさらに、ＯＮＵの識別子を搬送する。
【００３７】
第４の態様又は第４の態様の任意の可能な実装態様に関連して、第４の態様の第５の可能な実装態様では、波長チャネルの識別情報は、ＯＮＵの波長チャネル番号、ＯＮＵの上り波長情報、ＯＮＵの下り波長情報、又はＯＮＵの上り波長情報及び下り波長情報である。
【００３８】
第４の態様又は第４の態様の任意の可能な実装態様に関連して、第４の態様の第６の可能な実装態様では、第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである。
【００３９】
第５の態様が、受動光ネットワークＰＯＮシステムを提供し、本システムは、光回線終端装置ＯＬＴと、少なくとも１つの光ネットワークユニットＯＮＵを含み、ＯＬＴは、光分配ネットワークＯＤＮを用いることで、少なくとも１つのＯＮＵに接続され、ＯＬＴは、第２の態様又は第２の態様の第１から第７の可能な実装態様のうちいずれか１つに記載の装置であり、ＯＮＵは、第４の態様又は第４の態様の第１から第６の可能な実装態様のうちいずれか１つに記載の装置である。
【００４０】
本発明の実施形態において、波長チャネルグループのような論理チャネルグループが確立され、これにより、高帯域幅能力が実装され得る。さらに、チャネルグループ内のあるチャネルに障害がある場合、ＯＬＴのスケジューリングモジュールが、チャネルグループ内の別の要素にサービスを再割り当てすることができ、これにより、チャネルインタラクションが回避される。したがって、ＰＯＮシステムの帯域幅スケジューリング効率と帯域幅利用率とが高くなる。
【図面の簡単な説明】
【００４１】
本発明の実施形態又は先行技術における技術的解決手段を、より明確に説明するために、以下では、これらの実施形態又は先行技術を説明するのに必要な添付図面を簡潔に紹介する。以下の説明における添付図面は、本発明の一部の実施形態を示しており、当業者であれば、創造的努力をすることなく、これらの添付図面から他の図面をさらに導き出し得ることは明らかである。
【００４２】
【図１】先行技術におけるＰＯＮネットワークの概略構造図である。
【００４３】
【図２】本発明の一実施形態によるＴＷＤＭ−ＰＯＮネットワークの概略構造図である。
【００４４】
【図３Ａ】本発明の一実施形態によるＭＳＤ−ＷＤＭ−ＰＯＮネットワークの概略構造図である。
【００４５】
【図３Ｂ】本発明の一実施形態によるＳＳＤ−ＷＤＭ−ＰＯＮネットワークの概略構造図である。
【００４６】
【図３Ｃ】本発明の一実施形態によるＷＡ−ＰＯＮネットワークの概略構造図である。
【００４７】
【図４】本発明の一実施形態による受動光ネットワーク通信方法の概略フローチャートである。
【００４８】
【図５】本発明の別の実施形態による受動光ネットワーク通信方法の概略フローチャートである。
【００４９】
【図６】本発明の別の実施形態による受動光ネットワーク通信のインタラクション方法の概略図である。
【００５０】
【図７】本発明の別の実施形態による受動光ネットワーク通信のインタラクション方法の概略図である。
【００５１】
【図８】本発明の一実施形態による光回線終端装置の概略構造図である。
【００５２】
【図９】本発明の一実施形態による光ネットワークユニットの概略構造図である。
【００５３】
【図１０】本発明の別の実施形態による光回線終端装置の概略構造図である。
【００５４】
【図１１】本発明の別の実施形態による光ネットワークユニットの概略構造図である。
【発明を実施するための形態】
【００５５】
本発明の実施形態の目的、技術的解決手段、及び利点をより明確にするために、以下では、本発明の実施形態の添付図面を参照して、本発明の実施形態における技術的解決手段を明確且つ十分に説明する。説明される実施形態は、本発明の実施形態の一部であって、全てではないことは明らかである。本発明の実施形態に基づいて、創造的努力をすることなく、当業者によって取得された他の全ての実施形態は、本発明の保護範囲に含まれることになる。
【００５６】
本発明の技術的解決手段をより明確に説明するために、以下では、既存のＴＷＤＭ−ＰＯＮシステムアーキテクチャを説明し、その後、本発明のネットワークアーキテクチャへと続く。
【００５７】
図２は、ＴＷＤＭ−ＰＯＮシステムのネットワークアーキテクチャの概略図である。図２に示されるように、ＴＷＤＭ−ＰＯＮシステム１００は、１つのＯＬＴ１００と、複数のＯＮＵ１２０と、光分配ネットワーク（Ｏｐｔｉｃａｌ  Ｄｉｓｔｒｉｂｕｔｉｏｎ  Ｎｅｔｗｏｒｋ、ＯＤＮ）１３０とを含む。ＯＬＴ１１０は、ＯＤＮ１３０を用いて、ポイントツーマルチポイント方式で複数のＯＮＵ１２０に接続される。ＴＷＤＭ−ＰＯＮシステム１００は、少なくとも１つのＯＬＴを含み得る。複数のＯＮＵ１２０は、ＯＤＮ１３０の光伝送媒体を共有する。ＯＤＮ１３０は、フィーダファイバ１３１と、光パワースプリッタモジュール１３２と、複数の分配ファイバ１３３とを含み得る。光パワースプリッタモジュール１３２は、リモートノード（Ｒｅｍｏｔｅ  Ｎｏｄｅ、ＲＮ）上に配置されてよく、フィーダファイバ１３１を用いてＯＬＴ１１０に接続され、複数の分配ファイバ１３３を用いて複数のＯＮＵ１２０に個別に接続される。ＴＷＤＭ−ＰＯＮシステム１００では、ＯＬＴ１１０と複数のＯＮＵ１２０との間の通信リンクが、複数の波長チャネルを含むことができ、ＯＤＮ１３０の光伝送媒体は、ＷＤＭ方式で、複数の波長チャネルによって共有される。各ＯＮＵ１２０は、ＴＷＤＭ−ＰＯＮシステム１００の複数の波長チャネルのうち１つで動作することができ、各波長チャネルは、１つ又は複数のＯＮＵ１２０のサービスを受け持つことができる。さらに、同じ波長チャネル上で動作するＯＮＵ１２０は、ＴＤＭ方式で波長チャネルを共有することができる。図２において、ＴＷＤＭ−ＰＯＮシステム１００が４つの波長チャネルを含む一例が、説明に用いられている。実際の応用では、ＴＷＤＭ−ＰＯＮシステム１００の波長チャネル数が、ネットワーク要件に従って設定され得ることを理解されたい。
【００５８】
説明を容易にする目的で、図２におけるＴＷＤＭ−ＰＯＮシステム１００の４つの波長チャネルを、波長チャネル１、波長チャネル２、波長チャネル３、及び波長チャネル４と呼ぶ。各波長チャネルは、１組の上り波長及び下り波長を用いる。例えば、波長チャネル１の上り波長及び下り波長は、λｕ１及びλｄ１であってよく、波長チャネル２の上り波長及び下り波長は、λｕ２及びλｄ２であってよく、波長チャネル３の上り波長及び下り波長は、λｕ３及びλｄ３であってよく、波長チャネル４の上り波長及び下り波長は、λｕ４及びλｄ４であってよい。各波長チャネルは、対応する波長チャネル識別子を有してよく（例えば、４つの波長チャネルのチャネル番号が、１、２、３、及び４であってよい）、すなわち、波長チャネル識別子と、波長チャネル識別子によって識別される波長チャネルの上り波長及び下り波長との間に対応関係が存在する。ＯＬＴ１１０及びＯＮＵ１２０は、波長チャネル識別子に従って、波長チャネルの上り波長及び下り波長を認識することができる。
【００５９】
ＯＬＴ１１０は、光カプラ１１１、第１の波長分割多重化装置１１２、第２の波長分割多重化装置１１３、複数の下り光送信機Ｔｘ１〜Ｔｘ４、複数の上り光受信機Ｒｘ１〜Ｒｘ４、及び処理モジュール１１４を含み得る。複数の下り光送信機Ｔｘ１〜Ｔｘ４は、第１の波長分割多重化装置１１２を用いて光カプラ１１１に接続され、複数の上り光受信機Ｒｘ１〜Ｒｘ４は、第２の波長分割多重化装置１１３を用いて光カプラ１１１に接続され、カプラ１１１はさらに、ＯＤＮ１３０のフィーダファイバ１３１に接続される。
【００６０】
複数の下り光送信機Ｔｘ１〜Ｔｘ４は、異なる伝送波長を有し、下り光送信機Ｔｘ１〜Ｔｘ４のそれぞれは、ＴＷＤＭ−ＰＯＮシステム１００の１つの波長チャネルに対応し得る。例えば、複数の下り光送信機Ｔｘ１〜Ｔｘ４の伝送波長は、λｄ１〜λｄ４であってよい。下り光送信機Ｔｘ１〜Ｔｘ４はそれぞれ、下り光送信機Ｔｘ１〜Ｔｘ４の伝送波長λｄ１〜λｄ４を用いて、対応する波長チャネルへ下りデータを伝送することができ、これにより、対応する波長チャネル上で動作するＯＮＵ１２０が、下りデータを受信する。これに対応して、複数の上り光受信機Ｒｘ１〜Ｒｘ４は、異なる受信波長を有してよく、同様に、上り光受信機Ｒｘ１〜Ｒｘ４のそれぞれは、ＴＷＤＭ−ＰＯＮシステム１００の１つの波長チャネルに対応する。例えば、複数の上り光受信機Ｒｘ１〜Ｒｘ４の受信波長は、λｕ１〜λｕ４であってよい。上り光受信機Ｒｘ１〜Ｒｘ４はそれぞれ、上り光受信機Ｒｘ１〜Ｒｘ４の受信波長λｕ１〜λｕ４を用いて、対応する波長チャネル上で動作するＯＮＵ１２０によって送信された上りデータを受信することができる。
【００６１】
第１の波長分割多重化装置１１２は、複数の下り光送信機Ｔｘ１〜Ｔｘ４によって伝送され、それらの波長がλｄ１〜λｄ４である下りデータに対して、波長分割多重化処理を実行し、ＯＤＮ１３０を用いてＯＮＵ１２０に下りデータを供給するために、光カプラ１１１を用いてＯＤＮ１３０のフィーダファイバ１３１へ下りデータを送信するように構成される。また、光カプラ１１１はさらに、複数のＯＮＵ１２０からの、それぞれの波長がλｕ１〜λｕ４である上りデータを第２の波長分割多重化装置１１３に供給するように構成されてよく、第２の波長分割多重化装置１１３は、波長がλｕ１〜λｕ４である上りデータを、データ受信のために上り光受信機Ｒｘ１〜Ｒｘ４へ多重分離することができる。
【００６２】
処理モジュール１１４は、媒体アクセス制御（Ｍｅｄｉａ  Ａｃｃｅｓｓ  Ｃｏｎｔｒｏｌ、ＭＡＣ）モジュールであってよい。処理モジュール１１４は、波長ネゴシエーションによって、複数のＯＮＵ１２０に対して動作波長チャネルを指定し、ＯＮＵ１２０の動作波長チャネルに従って、各波長チャネルに対応する下り光送信機Ｔｘ１〜Ｔｘ４に、ＯＮＵ１２０へ送信される下りデータを供給することができ、これにより、下り光送信機Ｔｘ１〜Ｔｘ４は、対応する波長チャネルへ下りデータを伝送する。また、処理モジュール１１４はさらに、それぞれの波長チャネルに対して、上り動的帯域幅割り当て（Ｄｙｎａｍｉｃ  Ｂａｎｄｗｉｄｔｈ  Ａｌｌｏｃａｔｉｏｎ、ＤＢＡ）を実行し、ＯＮＵ１２０に対応する波長チャネルを用いて、ＯＮＵ１２０に特定のタイムスロットで上りデータを送信することを許可するために、ＴＤＭ方式で同じ波長チャネルに多重化されるＯＮＵ１２０に上り送信タイムスロットを割り当てることができる。
【００６３】
各ＯＮＵ１２０の上り伝送波長及び下り受信波長は、調整可能である。ＯＮＵ１２０は、ＯＬＴ１１０によって指定された波長チャネルに従って、ＯＮＵ１２０の上り伝送波長及び下り受信波長を、波長チャネルの上り波長及び下り波長に個別に調整することができ、その結果、当該波長チャネルを用いて送信及び受信する上りデータ及び下りデータを実現する。例えば、ＯＬＴ１１０が、波長ネゴシエーションプロセスにおいて、波長チャネル１上で動作するようＯＮＵ１２０に命令する場合、ＯＮＵ１２０は、ＯＮＵ１２０の上り伝送波長及び下り受信波長を、第１の上り波長λｕ１及び第１の下り波長λｄ１に個別に調整することができる。ＯＬＴ１１０が、波長チャネル３上で動作するようＯＮＵ１２０に命令する場合、ＯＮＵ１２０は、ＯＮＵ１２０の上り伝送波長及び下り受信波長を、第３の上り波長λｕ３及び第１の下り波長λｄ３に個別に調整することができる。
【００６４】
ＯＮＵ１２０は、光カプラ１２１、下り光受信機１２２、上り光送信機１２３、及び処理モジュール１２４を含んでよい。光カプラ１２１を用いることで、下り光受信機１２２及び上り光送信機１２３は、ＯＮＵ１２０に対応する分配ファイバ１３３に接続される。光カプラ１２１は、ＯＤＮ１３０を用いて上りデータをＯＬＴ１１０へ送信するために、上り光送信機１２３によって送信される上りデータをＯＤＮ１３０の分配ファイバ１３３に供給することができる。また、光カプラ１２１はさらに、データ受信のために下り光受信機１２２に下りデータを供給することができ、下りデータは、ＯＬＴ１１０によりＯＤＮ１３０を用いて送信される。
【００６５】
処理モジュール１２４は、ＭＡＣモジュールであってよい。処理モジュール１２４は、ＯＬＴ１１０と波長ネゴシエーションを行い、下り光受信機１２２の受信波長及び上り光送信機１２３の伝送波長を、ＯＬＴ１１０によって指定された波長チャネルに従って調整（すなわち、ＯＮＵ１２０の下り受信波長及び上り伝送波長を調整）することができ、これにより、ＯＮＵ１２０は、ＯＬＴ１１０によって指定された波長チャネル上で動作する。また、処理モジュール１２４はさらに、指定されたタイムスロットで上りデータを送信するために、ＯＬＴ１１０の動的帯域幅割り当て結果に従って、上り光送信機１２３を制御することができる。
【００６６】
ＴＷＤＭ−ＰＯＮシステム１００が動作するときに、多数のオンラインＯＮＵ１２０が存在する場合、一部のＯＮＵ１２０が波長チャネル１上で動作してよく、一部のＯＮＵ１２０が波長チャネル２上で動作してよく、一部のＯＮＵ１２０が波長チャネル３上で動作してよく、一部のＯＮＵ１２０が波長チャネル４上で動作してよい。さらに、全ての波長チャネル上のＯＮＵ１２０の数は、基本的に同じである。しかしながら、実際の動作においては、全ての波長チャネル上のＯＮＵ１２０の数は、ユーザが動的にオンライン又はオフラインになることに起因して、異なることがある。例えば、ある波長チャネル上には、比較的多数のＯＮＵ１２０が存在することがあり、１つ又は複数の他の波長チャネル上には、比較的少数のＯＮＵ１２０が存在し、ＯＮＵ１２０によって用いられる波長チャネルが存在しないことさえある。すなわち、波長チャネル負荷の不均衡が生じることがある。この場合、より多くのＯＮＵ１２０によって用いられる波長チャネルが、より重い負荷を有する。同じ波長チャネル上で動作するＯＮＵ１２０は、ＴＤＭ方式でサービスの多重化を実行するので、１つの波長チャネルの負荷が過度に重い場合に、不十分な帯域幅に起因して、ＯＮＵ１２０の通常のサービスが影響を受けることがある。
【００６７】
現在の業界では、ＯＮＵの帯域幅が１０Ｇより大きくなることを期待しており、各ＯＮＵは、少なくとも１つの波長チャネルを含む必要がある。ＮＧ−ＥＰＯＮの要件論議において、いくつかの新たなネットワーク構造が提案されており、その中には、単一スケジューリングドメイン波長分割多重化ＰＯＮ（Ｓｉｎｇｌｅ  Ｓｃｈｅｄｕｌｉｎｇ  Ｄｏｍａｉｎ  ＷＤＭ−ＰＯＮ、ＳＳＤ−ＷＤＭ−ＰＯＮ）、波長アジャイルＰＯＮ（Ｗａｖｅｌｅｎｇｔｈ  Ａｇｉｌｅ  ＰＯＮ、ＷＡ−ＰＯＮ）、及び複数スケジューリングドメイン波長分割多重化ＰＯＮ（Ｍｕｌｔｉｐｌｅ  Ｓｃｈｅｄｕｌｉｎｇ  Ｄｏｍａｉｎ  ＷＤＭ−ＰＯＮ、ＭＳＤ−ＷＤＭ−ＰＯＮ）が含まれる。これらの新たなネットワーク構造では、ＯＮＵはまた、商用ユーザの高帯域幅要求を満たすために、少なくとも１つの波長チャネルを含む必要がある。
【００６８】
図３Ａに示されるように、一般的なＮＧ−ＥＰＯＮアーキテクチャでは、ＰＯＮシステムは、全部で４つの波長チャネルを含む。ＯＬＴ側において、各波長チャネルは、１つの独立した帯域幅スケジューリングモジュール、例えば、図３Ａに示されるＯＬＴ内のスケジューリングモジュール１〜４に対応する。各ＯＮＵは、１つの波長チャネルに対応する。ＯＮＵ１〜３は波長チャネルλ１上で動作し、ＯＮＵ４及びＯＮＵ５は波長チャネルλ２上で動作し、ＯＮＵ６及びＯＮＵ８は波長チャネルλ３上で動作し、ＯＮＵ７及びＯＮＵ９は波長チャネルλ４上で動作する。図３Ａは、ＯＮＵの動作タイムスロット図であり、各台形ブロックが１つのタイムスロットを表す。波長チャネルλ１において、ＯＬＴは、異なる長さを持つ３つのタイムスロットをＯＮＵ１〜３に割り当て、波長チャネルλ２において、ＯＬＴは、より多くの上りタイムスロットをＯＮＵ４に割り当てる。同様に、波長チャネルλ３において、ＯＬＴは、より多くの上りタイムスロットをＯＮＵ６に割り当て、波長チャネルλ４において、ＯＬＴは、より多くの上りタイムスロットをＯＮＵ９に割り当てる。このアーキテクチャでは、波長チャネルに障害がある場合、ＯＬＴは、保護スイッチングを開始し、障害がある波長チャネル上のサービスを別の波長チャネルに再割り当てする必要がある。この保護スイッチングプロセスは、ＯＬＴの複数の帯域幅スケジューリングモジュール及び保護スイッチングモジュールの連携を必要とする。ＯＬＴシステムが大きな影響を受け、これが原因で、スイッチング速度が比較的遅くなる。
【００６９】
対称モード（上り速度及び下り速度が両方とも１０Ｇｂｐｓ）及び非対称モード（下り速度が１０Ｇｂｐｓ、上り速度が１Ｇｂｐｓ）が、現在の１０Ｇ−ＥＰＯＮに規定されている。４Ｋ高精細ビデオの要求、及び高帯域幅を求める企業がますます増えるにつれて、現在の１０Ｇ−ＥＰＯＮの１０Ｇ帯域幅は徐々に、クライアントの要求を満たすことができなくなっている。したがって、高帯域幅ＮＧ−ＥＰＯＮへの要求が、議題に載せられている。
【００７０】
図３Ｂに示されるように、各ＯＮＵの帯域幅を改善するために、ＩＥＥＥは、新たなＮＧ−ＥＰＯＮネットワークアーキテクチャを公開している。図３Ｂは、図３Ａと同じであってよく、ＯＮＵの動作タイムスロット図として理解されてよい。ＯＮＵ１の利用可能な波長チャネルがλ１〜λ４であり、ＯＮＵ２の利用可能な波長チャネルがλ１〜λ４であり、ＯＮＵ３の利用可能な波長チャネルがλ１〜λ４である。波長チャネルλ１〜λ４において、ＯＬＴが、異なるタイムスロット（各台形ブロックが１つのタイムスロットを表す）をＯＮＵ１〜ＯＮＵ３に割り当て、波長チャネルλ１〜λ４が並列に動作する。このネットワークアーキテクチャにおいて、ＯＬＴは、統合された１つの帯域幅スケジューリングモジュールのみを含む。この構造の利点は、帯域幅全体の利用率が高くなり、各ＯＮＵが最大帯域幅を取得できるという点である。もちろん、ある応用シナリオにおいて、ＯＮＵは、４つの波長チャネルを有効にする必要はなく、２つ又は３つの波長チャネルで十分な場合がある。したがって、より柔軟なアーキテクチャがＮＧ−ＥＰＯＮに規定されている。図３Ｃに示されるように、このネットワーク構造では、ＯＮＵ１が１つの波長チャネルλ１のみを含み、ＯＮＵ２が２つの波長チャネルλ１及びλ２を含み、ＯＮＵ３が３つの波長チャネルλ１〜λ３を含み、ＯＮＵ４が４つの波長チャネルλ１〜λ４を含む。図３Ｃは、図３Ａと図３Ｂとの混成構造とみなされてよい。異なる波長チャネルを含むこれらのＯＮＵは、同じ光スプリッタで共存してよい。したがって、様々な応用シナリオを満たすことができ、この混成構造が、最も高い帯域幅利用率を有し、様々なサービスをサポートする、最も柔軟なＮＧ−ＥＰＯＮネットワーク構造である。
【００７１】
本発明の以下の実施形態は、ＯＮＵが複数の波長チャネルを含む（１つの波長チャネルという特別な場合を含む）前述のネットワーク構造に基づいている。中心となる考えは、統合されたより高い帯域幅スケジューリングと波長チャネル管理とを実現するために、複数の物理波長チャネルが高帯域幅論理チャネルに結合され（又は、波長チャネルグループとして理解され）、波長チャネルグループと波長チャネルとの間のマッピングが確立されるというものである。例えば、ＯＮＵ３は、３つの利用可能な波長チャネル、すなわち、Ｃ１、Ｃ２、及びＣ３を含む。各波長チャネルは、波長対、すなわち、１つの上り波長と１つの下り波長とを含む。各波長チャネルは、１０Ｇｂｐｓの帯域幅に対応する。したがって、本発明の本実施形態において、論理チャネルグループＧ１が確立され、これにより、論理チャネルグループＧ１は、３つの波長チャネル、すなわち、Ｃ１、Ｃ２、及びＣ３を含む（実際の処理では、論理チャネルグループＧ１は、１つの波長チャネルのみ、又は任意の２つの波長チャネルのみを含んでよく、全ての利用可能な波長チャネルを含む必要はない）。このように、ＯＬＴ側において、３０Ｇｂｐｓの高帯域幅チャネルが取得される。そのような処理の利点は、以下の通りである。チャネルＣ２に障害があると想定される場合、ＯＬＴのスケジューリングモジュールが、サービスを残りの波長チャネルＣ１及びＣ３に迅速且つ容易に再割り当てすることができ、これにより、３つの独立した１０Ｇｂｐｓの帯域幅スケジューリングモジュール間のインタラクションの課題が回避される。したがって、帯域幅スケジューリング管理の効率と帯域幅利用率とが高くなる。特定の技術的解決手段については、以下の実施形態を参照されたい。
【００７２】
図４は、本発明の一実施形態による受動光ネットワーク通信方法４００のフローチャートである。図４に示されるように、本実施形態の本方法は、以下の段階を含む。
【００７３】
段階４１０：ＯＮＵの波長チャネルグループ、及び波長チャネルグループ内の波長チャネルを決定する。
【００７４】
具体的には、ＯＬＴが、事前設定されたルールを用いることで、波長チャネルグループ内の波長チャネルを選択又は決定し、チャネルグループの識別情報、及び波長チャネルグループ内の波長チャネルの識別情報をＯＮＵに通知する。
【００７５】
事前設定されたルールによれば、ＯＬＴは、現在の負荷状況、特定のアルゴリズム、及び現在の波長チャネルの使用状況などの要因に従って、割り当てを実行することができる。
【００７６】
段階４２０：第１のメッセージをＯＮＵへ送信する。第１のメッセージは、波長チャネルグループを確立するようＯＮＵに命令するために用いられ、波長チャネルグループの識別情報、及び波長チャネルグループ内の波長チャネルの識別情報を搬送する。
【００７７】
第１のメッセージは、多地点制御プロトコル（ＭＰＣＰ）メッセージ、運用・管理・保守（ＯＡＭ）メッセージ、物理層運用・管理・保守（ＰＬＯＡＭ）メッセージ、光ネットワーク終端装置管理・制御インタフェース（ＯＭＣＩ）メッセージ、又はユーザ定義メッセージであってよい。
【００７８】
波長チャネルグループの識別情報は、波長チャネルグループを一意に識別するためのＩＤ又は番号であってよいことに留意されたい。波長チャネルの識別情報は、ＯＮＵの波長チャネルを識別するための、ＩＤ、上り波長情報、下り波長情報、若しくは波長対情報、又は、波長チャネル情報を識別するための別の独自の識別子であってよい。
【００７９】
特定の実装態様において、段階Ｓ４１０の前に、本方法はさらに、以下の段階を含むことが好ましい。
【００８０】
Ｓ４３０：ＯＬＴは、要求メッセージをＯＮＵへ送信する。要求メッセージは、現在利用可能な波長チャネルに関する情報を報告するようＯＮＵに要求するために用いられる。
【００８１】
ＯＮＵの現在利用可能な波長チャネルに関する情報は、ＯＮＵに現在挿入されている光モジュールの数に関連することを理解されたい。
【００８２】
要求メッセージはさらに、現在利用可能な波長チャネルの数、現在サポートされる波長チャネルの最大数、又は各波長チャネルに対応する論理リンク識別子ＬＬＩＤなどの情報を報告するようＯＮＵに要求するために用いられ得ることが好ましい。
【００８３】
特定の実装態様において、例えば、ＯＮＵ１は、ＯＮＵ１が全部で４つの利用可能な波長チャネル、すなわち、波長チャネルλ１〜λ４を有することをＯＬＴに報告する。ＯＬＴは、ルールに従って（ルールは、ＯＬＴの保守要員又は技術者によって、コマンドライン又はコンソールを用いて設定されてよい）、チャネルグループＩＤが１であるＧ＃１をＯＮＵ１に割り当てる。Ｇ＃１の要素はλ１〜λ３であり、λ４は、このチャネルグループに入っていない。
【００８４】
方法４００はさらに、以下の段階を含むことが好ましい。
【００８５】
Ｓ４４０：ＯＬＴは、ＯＮＵによって報告された波長チャネルに関する情報を受信する。
【００８６】
方法４００はさらに、以下の段階を含むことが好ましい。
【００８７】
Ｓ４５０：ＯＬＴは、波長チャネルグループと波長チャネルとの間のマッピングに関する情報を格納するために、波長チャネルマッピングテーブルをローカルに確立する。特定の実装態様において、波長チャネルマッピングテーブルは、以下の表１に示され得る。
【表１】
2018526918.tif 000003
【００８８】
表１に示されるように、ＯＬＴは、４つのＯＮＵに接続される（これは、単に一例にすぎない）。ＯＬＴによってＯＮＵ１に割り当てられたチャネルグループのＩＤは１であり、ＯＮＵ１のチャネルグループは、波長チャネルλ１〜λ４を含む。ＯＬＴによってＯＮＵ２に割り当てられたチャネルグループのＩＤは２であり、ＯＮＵ２のチャネルグループは、波長チャネルλ１〜λ３を含む。ＯＬＴによってＯＮＵ３に割り当てられたチャネルグループのＩＤは３であり、ＯＮＵ３のチャネルグループは、波長チャネルλ２〜λ４を含む。ＯＬＴによってＯＮＵ４に割り当てられたチャネルグループのＩＤは４であり、ＯＮＵ４のチャネルグループは、波長チャネルλ１〜λ３を含む。
【００８９】
任意選択で、方法４００はさらに、以下の段階を含む。
【００９０】
Ｓ４６０：ＯＬＴは、波長チャネルに関する情報を更新するようＯＮＵに命令するために、波長チャネル更新メッセージをＯＮＵへ送信する。
【００９１】
具体的には、更新オペレーションは、削除、追加、無効化、休止、又は再有効化であってよい。波長チャネルが波長チャネルマッピングテーブルに格納されている場合、削除、追加、無効化、休止、又は再有効化が、波長チャネル全体に対して実行される。上り波長及び下り波長が波長チャネルマッピングテーブルに格納されている場合、更新オペレーションは、下り波長の削除、下り波長の追加、下り波長の無効化、下り波長の休止、若しくは下り波長の有効化であってよく、又は、上り波長の削除、上り波長の追加、上り波長の無効化、上り波長の休止、若しくは上り波長の有効化であってよい。
【００９２】
任意選択で、波長チャネル更新メッセージは、ＯＡＭメッセージ、ＭＰＣＰメッセージ、ＰＬＯＡＭメッセージ、又はＯＭＣＩメッセージであってよい。
【００９３】
波長チャネルグループに要素が存在しなくてよいこと、又は、波長チャネルグループが１つ又は複数の要素を含んでよいことに留意されたい。
【００９４】
本発明の本実施形態では、波長チャネルグループのような論理チャネルグループが確立され、チャネルグループ内のあるチャネルに障害がある場合、ＯＬＴのスケジューリングモジュールが、チャネルグループ内の別の要素にサービスを再割り当てすることができ、これにより、チャネルインタラクションが回避される。したがって、ＰＯＮシステムの帯域幅スケジューリング効率と帯域幅利用率とが高くなる。
【００９５】
図５は、本発明の一実施形態による受動光ネットワーク通信方法５００のフローチャートである。図５に示されるように、本実施形態の本方法は、以下の段階を含む。
【００９６】
段階５１０：ＯＬＴによって送信された第１のメッセージを受信する。第１のメッセージは、波長チャネルグループを確立するようＯＮＵに命令するために用いられ、波長チャネルグループの識別子、及び波長チャネルグループ内の波長チャネルの識別子を搬送する。
【００９７】
段階５２０：第１のメッセージに従って、波長チャネルグループを確立する。
【００９８】
任意選択で、第１のメッセージは、多地点制御プロトコル（ＭＰＣＰ）メッセージ、運用・管理・保守（ＯＡＭ）メッセージ、物理層運用・管理・保守（ＰＬＯＡＭ）メッセージ、光ネットワーク終端装置管理・制御インタフェース（ＯＭＣＩ）メッセージ、又はユーザ定義メッセージであってよい。
【００９９】
段階５１０の前に、方法５００はさらに以下の段階を含むことが好ましい。
【０１００】
段階５３０：ＯＬＴによって送信された第２のメッセージを受信する。第２のメッセージは、現在利用可能な波長チャネルの識別情報を報告するようＯＮＵに要求するために用いられる。
【０１０１】
具体的には、波長チャネルの識別情報は、波長ＩＤ、波長対ＩＤ、上り波長情報、下り波長情報、又は、上り波長情報及び下り波長情報であってよい。本発明では、波長チャネルの識別子は、ＯＮＵの波長チャネルを一意に識別するための情報として規定されてよく、前述の例のうち１つ又は複数であってよい。
【０１０２】
任意選択で、第２のメッセージはさらに、現在サポートされているチャネルの最大数、現在利用可能なチャネル数、又は各チャネルに対応する論理リンク識別子（ＬＬＩＤ）などの情報を報告するようＯＮＵに要求するために用いられてよい。
【０１０３】
任意選択で、第２のメッセージは、ＭＰＣＰメッセージ、ＯＡＭメッセージ、ＰＬＯＡＭメッセージ、又はＯＭＣＩメッセージであってよい。
【０１０４】
方法５００はさらに、以下の段階を含むことが好ましい。
【０１０５】
段階５４０：第２のメッセージの応答メッセージをＯＬＴへ送信する。応答メッセージは、ＯＮＵの波長チャネルの識別子を搬送する。
【０１０６】
これに対応して、第２のメッセージの応答メッセージはさらに、現在サポートされているＯＮＵのチャネルの最大数、現在利用可能なチャネル数、又は各チャネルに対応する論理リンク識別子ＬＬＩＤなどの情報を搬送することができる。
【０１０７】
方法５００はさらに、以下の段階を含むことが好ましい。
【０１０８】
段階５５０：第１のメッセージを受信した後に、ＯＮＵは、波長チャネルグループマッピングテーブルをＯＮＵにローカルに確立し、マッピングテーブルは、チャネルグループとチャネルグループ内の要素との間のマッピング関係を記録するのに用いられる。１つのＯＮＵには、複数の論理チャネルグループが含まれ得ることを理解されたい。
【０１０９】
例えば、以下の表２は、ＯＮＵによって確立された波長チャネルグループマッピングテーブルの一例である。
【表２】
2018526918.tif 000004
【０１１０】
表２に示されるように、ＯＮＵは、２つの波長チャネルグループ、すなわち、ＩＤ１及びＩＤ２をローカルに含む。波長チャネルグループ１は、波長チャネルλ１及びλ２を含み、波長チャネルグループ２は、波長チャネルλ３及びλ４を含む。
【０１１１】
波長チャネルグループを確立することは、第１のメッセージを受信した後に、ＯＮＵが、波長チャネルマッピングテーブルをローカルに確立し、波長チャネルグループと波長チャネルとの間のマッピング関係を確立することであってよいことを理解されたい。その後ＯＬＴが帯域幅をＯＮＵに割り当てる場合、ＯＬＴは、波長チャネルグループを全体として用いることで、帯域幅割り当てを実行することができる。例えば、特定の実装態様において、ＯＬＴは、３０Ｍの帯域幅をＯＮＵ１のチャネルグループ１に割り当て、事前設定されたサービス均衡ルールに従って、３０Ｍがチャネルグループに割り当てられる。例えば、１０Ｍが、各波長チャネルに割り当てられてよく、又は、５、５、及び２０などの別の帯域幅の組み合わせに従って、割り当てが実行されてよい。
【０１１２】
第２のメッセージの応答メッセージは、ＰＬＯＡＭメッセージ、ＭＰＣＰメッセージ、ＯＡＭメッセージ、又はＯＭＣＩメッセージを使って搬送されてよいことを理解されたい。
【０１１３】
方法５００はさらに、以下の段階を含むことが好ましい。
【０１１４】
Ｓ５６０：波長チャネルマッピングテーブルを更新する。
【０１１５】
具体的には、更新オペレーションは、削除、追加、無効化、休止、又は再有効化であってよい。波長チャネルが波長チャネルマッピングテーブルに格納されている場合、削除、追加、無効化、休止、又は再有効化が、波長チャネル全体に対して実行される。上り波長及び下り波長が波長チャネルマッピングテーブルに格納されている場合、更新オペレーションは、下り波長の削除、下り波長の追加、下り波長の無効化、下り波長の休止、若しくは下り波長の有効化であってよく、又は、上り波長の削除、上り波長の追加、上り波長の無効化、上り波長の休止、若しくは上り波長の有効化であってよい。
【０１１６】
例えば、特定の実装態様において、ＯＬＴは、波長チャネル更新メッセージをＯＮＵに送る。波長チャネル更新メッセージは、ＭＰＣＰメッセージ、ＯＡＭメッセージ、ＰＬＯＡＭメッセージ、又はＯＭＣＩメッセージを使って搬送されてよい。波長チャネル更新メッセージは、波長チャネルを追加、削除、又は修正するようＯＮＵに命令するために用いられてよい。当業者であれば、波長チャネルマッピングテーブルの更新は通常、ＯＬＴによって開始され、特別な場合にはＯＮＵによって任意で開始され得ることを理解するはずである。例えば、ＯＮＵのチャネルグループ状況の更新は、ハードウェア信号検出によってトリガされてよく、又は、ＯＮＵは、トリガの実行後に、波長チャネル更新要求をＯＬＴへ送信し、ＯＬＴは、対応する処理を実行した後に、波長チャネルマッピングテーブルを更新するようＯＮＵに命令する。
【０１１７】
任意選択で、ＯＬＴによって波長チャネルマッピングテーブルを更新するプロセスにおけるインタラクションメッセージが、ＯＡＭメッセージ、ＭＰＣＰメッセージ、ＰＬＯＡＭメッセージ、又はＯＭＣＩメッセージであってよい。
【０１１８】
波長チャネルグループに要素が存在しなくてよいこと、又は、波長チャネルグループが１つ又は複数の要素を含んでよいことに留意されたい。
【０１１９】
本発明の本実施形態において、波長チャネルグループのような論理チャネルグループが確立され、これにより、ＰＯＮシステムの帯域幅スケジューリング効率と帯域幅利用率とが高くなる。例えば、チャネルグループ内のあるチャネルに障害がある場合、ＯＬＴのスケジューリングモジュールが、チャネルグループ内の別の要素にサービスを迅速且つ容易に再割り当てすることができ、これにより、チャネルインタラクションが回避される。
【０１２０】
以下ではさらに、特定の応用シナリオを参照して、本発明を説明する。図６は、本発明の一実施形態による受動光ネットワーク通信方法の概略インタラクションフローチャートである。図６に示されるように、本実施形態における本方法は、以下の段階を含む。
【０１２１】
Ｓ６０１：ＯＮＵが、ランダムに、又は事前設定された登録ルールに従って、波長チャネルを選択する。
【０１２２】
具体的には、ＯＮＵは、ランダムに、又は事前設定された登録ルールに従って、複数の利用可能な波長チャネルのうち１つを選択することができ、この登録プロセスは、先行技術のＰＯＮ登録プロセスと同じである。詳細は、本明細書において説明しない。ＯＮＵ登録プロセスでは、別の波長チャネルが一時的に無効にされるか又は休止状態にされてよく、ＯＮＵは、選択された波長チャネルを用いることで登録に成功する。
【０１２３】
ＯＮＵ登録プロセスにおけるＯＮＵとＯＬＴとの間のインタラクションメッセージについては、先行技術のＧＰＯＮフォーマット又はＥＰＯＮフォーマットを参照することを理解されたい。
【０１２４】
Ｓ６０２：ＯＬＴが要求メッセージをＯＮＵへ送る。要求メッセージは、ＯＮＵの現在利用可能な波長チャネルの識別情報を報告するようＯＮＵに要求するために用いられる。
【０１２５】
具体的には、ＯＬＴは、ＭＰＣＰメッセージ、ＯＡＭメッセージ、ＰＬＯＡＭメッセージ、又はＯＭＣＩメッセージに要求メッセージを追加することができる。
【０１２６】
Ｓ６０３：ＯＮＵは、ＯＮＵの現在利用可能な波長チャネルに関する情報を報告する。
【０１２７】
Ｓ６０４：ＯＬＴは、事前設定されたルールに従って、波長チャネルグループを決定し、波長チャネルグループ内の要素を決定する。
【０１２８】
ＯＬＴは、１つ又は複数の波長チャネルグループを決定し得ることに留意されたい。波長チャネルグループに要素が存在しなくてよく、又は、波長チャネルグループが１つ又は複数の要素を含んでよい。
【０１２９】
Ｓ６０５：ＯＬＴは、波長チャネルグループに関する情報、及び波長チャネルグループ内の要素に関する情報を、下りメッセージを用いてＯＮＵへ送信する。
【０１３０】
例えば、特定の実装態様において、ＯＬＴは、ＯＮＵの波長チャネルグループのＩＤが１であり、波長チャネルグループ内の要素のＩＤがλ１〜λ４であることを、ＭＰＣＰメッセージを用いてＯＮＵに通知する。
【０１３１】
Ｓ６０６：ＯＮＵは、波長チャネルグループ内の別の要素を用いて、ＯＬＴに登録する。
【０１３２】
例えば、特定の実装態様において、波長チャネルグループは、波長チャネル１、波長チャネル２、及び波長チャネル３を含む。段階６０１において、ＯＮＵは、波長チャネル１を用いて登録を行う。その後、段階６０６において、ＯＮＵは、波長チャネル２及び波長チャネル３を個別に用いて、ＯＬＴに登録する。このように、全ての波長チャネルを用いて、登録が成功する。
【０１３３】
波長チャネル２及び波長チャネル３を用いて、ＯＬＴに登録するプロセスは、段階６０１の登録プロセスと基本的に同じであることを理解されたい。
【０１３４】
Ｓ６０７：ＯＬＴは、波長チャネルグループマッピングテーブルを確立する。
【０１３５】
その後ＯＬＴは、波長チャネルマッピングテーブルを動的に更新できることを、理解されたい。動的な更新とは、チャネルグループ要素に関して、ＯＬＴが追加、削除、休止、又は無効化を実行できることを示す。
【０１３６】
もちろん、チャネルマッピングテーブルはさらに、ＯＮＵの現在サポートされているチャネルの最大数、ＯＮＵの現在利用可能なチャネルの数、現在用いられているチャネルの数、各波長チャネルに対応するＬＬＩＤ、又はＭＡＣアドレスなどの他の必要情報を含んでよい。
【０１３７】
当業者であれば、波長チャネルグループマッピングテーブルがＯＬＴ装置及びＯＮＵ装置に設定された後に、これに対応してデータ転送テーブルも、最初の転送テーブル内の宛先ポートを、チャネルグループに論理的に対応する仮想ポートに修正するために、修正される必要があることを理解するはずである。
【０１３８】
本発明の理解を容易にする目的で、以下では、各段階におけるメッセージフィールドを詳細に説明する。
【０１３９】
段階６０２において、ＯＬＴは、現在利用可能な波長チャネルに関する情報を報告するようＯＮＵに要求するために、要求メッセージをＯＮＵへ送る。例えば、ＯＬＴによって送られる要求メッセージは、Ｃｈａｎｎｅｌ＿ｒｅｑメッセージと呼ばれ、ＯＮＵによって報告されるメッセージは、Ｃｈａｎｎｅｌ＿ａｃｋメッセージと呼ばれる。
【０１４０】
段階６０５において、ＯＬＴは、波長チャネルグループに関する情報、及び波長チャネルグループ内の要素に関する情報を、下りメッセージを用いてＯＮＵへ送信する。下りメッセージは、ＣＨ＿Ｇｒｏｕｐ＿ａｃｋメッセージと呼ばれ、これにより、このメッセージは、ＯＮＵのチャネルグループのＩＤ、及びチャネルグループ内の要素のＩＤを搬送する。
【０１４１】
特定の実装態様において、Ｃｈａｎｎｅｌ＿ｒｅｑメッセージ、Ｃｈａｎｎｅｌ＿ａｃｋメッセージ、及びＣＨ＿Ｇｒｏｕｐ＿ａｃｋメッセージが、ＭＰＣＰプロトコルを用いて搬送される場合、メッセージフォーマットは以下の通りであってよい。
【表３】
2018526918.tif 000005
【０１４２】
表３は、既存のＭＰＣＰプロトコルのフレームフォーマットである。宛先アドレス（Ｄｅｓｔｉｎａｔｉｏｎ  Ａｄｄｒｅｓｓ、ＤＡ）は、６バイトを占有し、パケットの送信先のＩＰアドレスを識別するのに用いられる。
【０１４３】
送信元アドレス（Ｓｏｕｒｃｅ  Ａｄｄｒｅｓｓ、ＳＡ）は、６バイトを占有し、パケットの送信元のＩＰアドレスを識別するのに用いられる。
【０１４４】
パケットの長さ／タイプ（Ｌｅｎｇｔｈ／Ｔｙｐｅ）は、２バイトを占有し、パケットの長さ及びタイプを識別するのに用いられる。
【０１４５】
オペレーションコード（Ｏｐｃｏｄｅ）は、２バイトを占有し、ＭＰＣＰフレームの番号を識別するのに用いられる。
【０１４６】
タイムスタンプ（Ｔｉｍｅ  Ｓｔａｍｐｓ）は、４バイトを占有し、パケットを送信した時間を識別するのに用いられる。
【０１４７】
データ／予約フィールド（Ｄａｔａ／Ｒｅｓｅｒｖｅｄ  Ｆｉｅｌｄ）は、４０バイトを占有し、データ情報を搬送するのに用いられるか、又は拡張用途のための予約フィールドとして用いられる。
【０１４８】
フレームチェックシーケンス（ＦＣＳ）は、４バイトを占有し、パリティビットを示すのに用いられる。
【０１４９】
ＧＡＴＥフレーム、ＲＥＰＯＲＴフレーム、ＲＥＧＩＳＴＥＲ＿ＲＥＱフレーム、ＲＥＧＩＳＴＥＲフレーム、及びＲＥＧＩＳＴＥＲ＿ＡＣＫフレームを含む５つのタイプのＭＰＣＰフレームが、既存の規格で記録されている。５つのタイプのフレーム全てには、宛先アドレス、送信元アドレス、長さ／タイプ、オペレーションコード、タイムスタンプ、データ／予約フィールド、及びフレームチェックシーケンスなどの前述のフィールドが含まれる。異なるフレームフィールドは、異なるコンテンツを有する。５つのタイプのフレームのＯｐｃｏｄｅフィールドは、０００２、０００３、０００４、０００５、及び０００６である。
【０１５０】
例えば、本実施形態において、ｃｈａｎｎｅｌ＿ｒｅｑメッセージフォーマットの場合、チャネル情報を報告するようＯＮＵに要求するために、フィールド名が、既存のフォーマットの予約フィールドを拡張することで、チャネル情報として設定されてよい（又は、別のフィールド名として設定されてよい）。フィールドの長さは１バイトであってよく（フィールド長は、実際の要求に従って設定されてよく、１バイトは説明用の一例にすぎない）、全部で８バイトある。
【０１５１】
具体的には、Ｃｈａｎｎｅｌ＿ａｃｋメッセージは、以下の表４に示され得る。
【表４】
2018526918.tif 000006
【０１５２】
ＣＨ＿Ｇｒｏｕｐ＿ａｃｋメッセージのフォーマットが、以下の表５に示され得る。
【表５】
2018526918.tif 000007
【０１５３】
Ｃｈａｎｎｅｌ＿ｒｅｑメッセージ、Ｃｈａｎｎｅｌ＿ａｃｋメッセージ、又はＣＨ＿Ｇｒｏｕｐ＿ａｃｋメッセージはさらに、別のフィールド、例えば、ＯＮＵの現在利用可能なチャネルの数、ＯＮＵによってサポートされるチャネルの最大数、又は各チャネルに対応するＬＬＩＤなどの情報を搬送できることを理解されたい。前述のフィールドは、既存のＭＰＣＰメッセージの予約フィールドを拡張することで、実装されてよい。詳細は、本明細書において説明しない。
【０１５４】
任意選択で、波長チャネルグループマッピングテーブルが、ＯＬＴ及びＯＮＵによって問題なく確立された後、ＯＬＴ及びＯＮＵは、チャネルグループ要素を更新してよく、又は、要求に従ってチャネルグループ要素の動作状態を変更してよい。ＯＮＵは、ハードウェア信号検出によって、チャネルグループ状態を更新するようトリガしてよく、若しくは、ＯＮＵは、トリガを実行して波長チャネルグループマッピングテーブル更新要求をＯＬＴへ送信し、ＯＬＴは、ＯＮＵのチャネルグループを更新する、又は、ＯＬＴは、ＯＮＵのチャネルグループ更新を能動的に開始し、ＯＬＴは、ＯＮＵのチャネルグループ状態を更新するために、ＣＨ＿Ｇｒｏｕｐ＿ａｃｋメッセージを直接送信する。
【０１５５】
別の特定の実装態様において、ＯＡＭメッセージがＣｈａｎｎｅｌ＿ｒｅｑメッセージ、Ｃｈａｎｎｅｌ＿ａｃｋメッセージ、及びＣＨ＿Ｇｒｏｕｐ＿ａｃｋメッセージを搬送する場合、メッセージフォーマットは、以下の通りであってよい。
【０１５６】
規格で規定されるＯＡＭメッセージフォーマットが、表６に示されている。
【表６】
2018526918.tif 000008
【０１５７】
ＯＡＭプロトコルを用いて搬送されるＣｈａｎｎｅｌ＿ｒｅｑメッセージ又はＣｈａｎｎｅｌ＿ａｃｋメッセージのフォーマットが、以下の表７に示され得る。
【表７】
2018526918.tif 000009
【０１５８】
ＯＡＭプロトコルを用いて搬送されるＣＨ＿Ｇｒｏｕｐ＿ａｃｋメッセージのフォーマットが、以下の表８に示され得る。
【表８】
2018526918.tif 000010
【０１５９】
別の特定の実装態様において、ＣＨ＿Ｇｒｏｕｐ＿ａｃｋメッセージが、ＰＬＯＡＭプロトコルを用いて搬送される場合、そのＣＨ＿Ｇｒｏｕｐ＿ａｃｋメッセージのフォーマットが、以下の表９に示され得る。
【表９】
2018526918.tif 000011
【０１６０】
特定の実装態様において、ＣＨ＿Ｇｒｏｕｐ＿ａｃｋメッセージがＯＭＣＩプロトコルを用いて搬送される場合、メッセージフォーマットが、以下の表１０に示され得る。
【表１０】
2018526918.tif 000012
【０１６１】
当業者であれば、各メッセージフォーマットの十分な理解を基に、且つ予約フィールドを拡張することで、本発明を取得し得ることを理解されたい。詳細は、本明細書において説明しない。
【０１６２】
本発明の様々な実施形態において、前述のプロセスのシーケンス番号は、実行順序を意味しないことを理解されたい。これらのプロセスの実行順序は、プロセスの機能及び内部論理に従って決定されるべきであり、本発明の実施形態の実装プロセスに対する何らかの限定と解釈されるべきではない。
【０１６３】
本発明の本実施形態において、波長チャネルグループのような論理チャネルグループが確立され、これにより、ＰＯＮシステムの帯域幅スケジューリング効率と帯域幅利用率とが高くなる。例えば、チャネルグループ内のあるチャネルに障害がある場合、ＯＬＴのスケジューリングモジュールが、チャネルグループ内の別の要素にサービスを迅速且つ容易に再割り当てすることができ、これにより、チャネルインタラクションが回避される。
【０１６４】
以下ではさらに、別の応用シナリオを参照して、本発明を説明する。図７は、本発明の一実施形態による、チャネルグループの確立についてのインタラクションフローチャートである。図７に示されるように、本発明の本実施形態における本方法は、以下の段階を含む。
【０１６５】
Ｓ７０１：ＯＮＵが登録要求をＯＬＴへ送信する。登録要求は、ＯＮＵのＩＤ情報又はシーケンス番号情報を搬送する。
【０１６６】
ＯＮＵは、少なくとも１つの利用可能な波長チャネルを含み、ＯＮＵは、任意の波長チャネルを用いて、登録要求メッセージを送信してよいことを理解されたい。
【０１６７】
Ｓ７０２：ＯＬＴは、登録要求で搬送されるＯＮＵのシーケンス番号情報が、事前設定されたＯＬＴのシーケンス番号情報と一致するかどうかを判定し、登録要求で搬送されるＯＮＵのシーケンス番号情報が、事前設定されたＯＬＴのシーケンス番号情報と一致する場合、ＯＮＵの現在利用可能な波長チャネルに関する情報を報告するようＯＮＵに要求する。
【０１６８】
Ｓ７０３：ＯＮＵは、ＯＮＵの利用可能な波長チャネルに関する情報を報告する。
【０１６９】
Ｓ７０４：ＯＬＴは、事前設定されたルールに従って、波長チャネルグループを決定し、波長チャネルグループ内の要素を決定する。
【０１７０】
Ｓ７０５：ＯＬＴは、波長チャネルグループに関する情報、及び波長チャネルグループ内の要素に関する情報を、下りメッセージを用いてＯＮＵへ送信する。
【０１７１】
Ｓ７０６：ＯＮＵは、別の未登録波長チャネルを用いて、ＯＬＴに登録する。
【０１７２】
Ｓ７０７：任意の波長チャネルを用いて、ＯＬＴとＯＮＵとの間で測距（ｒａｎｇｉｎｇ）を実行する。
【０１７３】
Ｓ７０８：ＯＬＴは、波長チャネルグループマッピングテーブルを確立する。
【０１７４】
Ｓ７０９：ＯＮＵは、波長チャネルグループマッピングテーブルを確立する。
【０１７５】
本発明の本実施形態におけるインタラクションメッセージフォーマットが、実施形態３のものと一致し得ることを理解されたい。詳細は、本明細書において再度説明しない。
【０１７６】
当業者であれば、各メッセージフォーマットの十分な理解を基に、且つ予約フィールドを拡張することで、本発明を取得し得ることを理解されたい。詳細は、本明細書において説明しない。
【０１７７】
本発明の様々な実施形態において、前述のプロセスのシーケンス番号は、実行順序を意味しないことを理解されたい。これらのプロセスの実行順序は、プロセスの機能及び内部論理に従って決定されるべきであり、本発明の実施形態の実装プロセスに対する何らかの限定と解釈されるべきではない。
【０１７８】
本発明の本実施形態において、波長チャネルグループのような論理チャネルグループが確立され、これにより、ＰＯＮシステムの帯域幅スケジューリング効率と帯域幅利用率とが高くなる。例えば、チャネルグループ内のあるチャネルに障害がある場合、ＯＬＴのスケジューリングモジュールが、チャネルグループ内の別の要素にサービスを迅速且つ容易に再割り当てすることができ、これにより、チャネルインタラクションが回避される。
【０１７９】
図８は、本発明の一実施形態による受動光ネットワーク通信装置の概略構造図である。図８に示されるように、本実施形態において提供される受動光ネットワーク通信装置８００が、処理ユニット８１０と送信ユニット８２０とを含む。
【０１８０】
処理ユニット８１０は、ＯＮＵの波長チャネルグループ、及び波長チャネルグループ内の要素を決定するように構成される。
【０１８１】
具体的には、ＯＬＴの処理ユニット８１０は、ＯＮＵに割り当てられる波長チャネルグループの識別子と、チャネルグループ内の要素とを、事前設定されたルールを用いて選択又は決定し、チャネルグループの識別子、及びチャネルグループ内の要素の識別情報をＯＮＵに通知する。
【０１８２】
送信ユニット８２０は、第１のメッセージをＯＮＵへ送信するように構成され、第１のメッセージは、波長チャネルグループを確立するようＯＮＵに命令するのに用いられ、波長チャネルグループの識別子ＩＤ、及び波長チャネルグループ内の波長チャネルの識別子ＩＤを搬送する。
【０１８３】
第１のメッセージは、多地点制御プロトコルＭＰＣＰメッセージ、運用・管理・保守ＯＡＭメッセージ、光ネットワーク終端装置管理・制御インタフェースＯＭＣＩメッセージ、又は物理層運用・管理・保守ＰＬＯＡＭメッセージである。
【０１８４】
特定の実装態様において、送信ユニット８２０はさらに、要求メッセージをＯＮＵへ送信するように構成されることが好ましく、要求メッセージは、現在利用可能な波長チャネルの識別情報を報告するようＯＮＵに要求するために用いられる。
【０１８５】
具体的には、波長チャネルの識別情報は、ＯＮＵの波長チャネルのＩＤ、ＯＮＵの上り波長情報、ＯＮＵの下り波長情報、上り波長情報及び下り波長情報、又はＯＮＵの波長チャネルを一意に識別するための別の識別子であってよい。
【０１８６】
特定の実装態様において、例えば、ＯＮＵ１が４つの現在利用可能な波長チャネル、すなわち、波長チャネル１、波長チャネル２、波長チャネル３、及び波長チャネル４を有することを、ＯＮＵ１がＯＬＴに報告する。ＯＮＵは、波長情報を用いて、これらの４つの波長チャネルを識別することができる。例えば、波長チャネル１の上り波長が１３００ナノメートル（ｎｍ）であり、波長チャネル１の下り波長が１６００ｎｍである。ＯＮＵは、波長チャネルの識別情報をＯＬＴに報告してよい。
【０１８７】
ＯＬＴは、事前設定されたルールに従って（ルールは、ＯＬＴの保守要員又は技術者によって、コマンドライン又はコンソールを用いて設定されてよい）、１つのチャネルグループＧ＃１を設定し、Ｇ＃１には、波長チャネル１、波長チャネル２、及び波長チャネル３が含まれる。
【０１８８】
装置８００はさらに、ＯＮＵによって報告された波長チャネルの識別情報を受信するように構成された受信ユニット８３０を含むことが好ましい。
【０１８９】
装置８００はさらに、記憶ユニット８４０を含むことが好ましく、記憶ユニットは、ＯＬＴによって生成された波長チャネルマッピングテーブルを格納するように構成され、波長チャネルマッピングテーブルは、波長チャネルグループに関する情報、及び波長チャネルに関する情報を格納するのに用いられる。
【０１９０】
任意選択で、処理ユニット８１０はさらに、波長チャネルマッピングテーブルを更新するように構成される。この更新は、エントリ追加、エントリ削除、エントリ修正、又はエントリに対して実行される別のオペレーションであってよい。
【０１９１】
波長チャネルグループは、要素を何も有さなくてよく、又は１つの要素を有してよいことを理解されたい。
【０１９２】
受信ユニット８３０はさらに、ＯＮＵによって送信された第３のメッセージを受信するように構成されることが好ましく、第３のメッセージは、ＯＮＵの波長チャネルグループ内の波長チャネルを用いて報告される。
【０１９３】
送信ユニット８２０はさらに、第３のメッセージの応答メッセージをＯＮＵへ送信するように構成されることが好ましく、応答メッセージ及び第３のメッセージは、同じ波長チャネルを用いて、ＯＮＵと情報をやり取りする。
【０１９４】
本実施形態における受動光ネットワーク通信装置は、図４、図６、及び図７のＯＬＴ側において、技術的解決手段を実行するように構成されることを、さらに理解されたい。本実施形態の実装原理及び技術的効果が、これらの技術的解決手段のものと類似しており、実施形態１、実施形態３、又は実施形態４の説明は、本発明の本実施形態にも適用可能である。詳細は、本明細書において再度説明しない。
【０１９５】
本発明の本実施形態において、波長チャネルグループのような論理チャネルグループが確立され、これにより、ＰＯＮシステムの帯域幅スケジューリング効率と帯域幅利用率とが高くなる。例えば、チャネルグループ内のあるチャネルに障害がある場合、ＯＬＴのスケジューリングモジュールが、チャネルグループ内の別の要素にサービスを迅速且つ容易に再割り当てすることができ、これにより、チャネルインタラクションが回避される。
【０１９６】
図９は、本発明の一実施形態による受動光ネットワーク通信装置の概略構造図である。図９に示されるように、本実施形態において提供される受動光ネットワーク通信装置９００が、受信ユニット９１０と処理ユニット９２０とを含む。
【０１９７】
受信ユニット９１０は、ＯＬＴによって送信された第１のメッセージを受信するように構成され、第１のメッセージは、波長チャネルグループを確立するようＯＮＵに命令するために用いられ、波長チャネルグループの識別子、及び波長チャネルグループ内の波長チャネルの識別子を搬送する。
【０１９８】
任意選択で、第１のメッセージを受信した後に、ＯＮＵの受信ユニット９１０は、波長チャネルグループマッピングテーブルをＯＮＵにローカルに確立し、マッピングテーブルは、チャネルグループとチャネルグループ内の要素との間のマッピング関係を記録するのに用いられる。１つのＯＮＵには、複数の論理チャネルグループが含まれ得ることを理解されたい。
【０１９９】
処理ユニット９２０は、第１のメッセージに従って、波長チャネルグループを確立する。
【０２００】
ＯＮＵの受信ユニット９１０はさらに、ＯＬＴによって送信された第２のメッセージを受信するように構成されることが好ましく、第２のメッセージは、波長チャネルの識別子を報告するようＯＮＵに要求するために用いられる。
【０２０１】
具体的には、波長チャネルの識別子は、波長ＩＤ、波長対識別子ＩＤ、上り波長情報、下り波長情報、又は、上り波長情報及び下り波長情報であってよい。本発明では、波長チャネルの識別子は、ＯＮＵの波長チャネルを一意に識別するための情報として規定されてよく、前述の例のうち１つ又は複数であってよい。
【０２０２】
ＯＮＵ９００はさらに、送信ユニット９３０を含むことが好ましい。送信ユニット９３０は、第３のメッセージをＯＬＴへ送信するように構成され、第３のメッセージは、波長チャネルの識別情報を搬送する。
【０２０３】
処理ユニット９２０はさらに、波長チャネルグループを更新するように構成されてよいことが好ましい。
【０２０４】
具体的には、波長チャネルの識別子は、波長ＩＤ、波長対識別子ＩＤ、上り波長情報、下り波長情報、又は、上り波長情報及び下り波長情報であってよいことを理解されたい。本発明では、波長チャネルの識別子は、ＯＮＵの波長チャネルを一意に識別するための情報として規定されてよく、前述の例のうち１つ又は複数であってよい。
【０２０５】
本実施形態における受動光ネットワーク通信装置は、図５〜図７のＯＮＵ側において、技術的解決手段を実行するように構成されることを、さらに理解されたい。本実施形態の実装原理及び技術的効果が、これらの技術的解決手段のものと類似しており、実施形態１、実施形態３、又は実施形態４の説明は、本発明の本実施形態にも適用可能である。詳細は、本明細書において再度説明しない。
【０２０６】
本発明の本実施形態において、波長チャネルグループのような論理チャネルグループが確立され、これにより、ＰＯＮシステムの帯域幅スケジューリング効率と帯域幅利用率とが高くなる。例えば、チャネルグループ内のあるチャネルに障害がある場合、ＯＬＴのスケジューリングモジュールが、チャネルグループ内の別の要素にサービスを迅速且つ容易に再割り当てすることができ、これにより、チャネルインタラクションが回避される。
【０２０７】
本発明の一実施形態がさらに、光回線終端装置を開示する。図１０は、本発明の一実施形態によるＯＬＴ１００の概略構造図である。図１０に示されるように、本実施形態において提供されるＯＬＴは、光カプラ１０１、第１の波長分割多重化装置１０２、第２の波長分割多重化装置１０３、複数の下り光送信機Ｔｘ１〜Ｔｘ４、複数の上り光受信機Ｒｘ１〜Ｒｘ４、及びプロセッサ１０４を含む。光カプラ１０１、第１の波長分割多重化装置１０２、第２の波長分割多重化装置１０３、複数の下り光送信機Ｔｘ１〜Ｔｘ４、及び複数の上り光受信機Ｒｘ１〜Ｒｘ４は、図２に示されるＯＬＴ１１０の対応するモジュールに類似している。プロセッサ１０４は、図４、図６、及び図７のＯＬＴ側において、本方法を実行するように構成されてよい。
【０２０８】
本発明の一実施形態がさらに、光ネットワークユニットを開示する。図１１は、本発明の一実施形態によるＯＮＵの概略構造図である。図１１に示されるように、本実施形態において提供されるＯＮＵは、光カプラ１１１、下り光受信機１１２、上り光送信機１１３、及びプロセッサ１１４を含む。光カプラ１１１、下り光受信機１１２、及び上り光送信機１１３は、図２に示されるＯＮＵ１２０の対応するモジュールに類似している。プロセッサ１１４は、図５〜図７のＯＮＵ側において、本方法を実行するように構成されてよい。
【０２０９】
本発明の一実施形態がさらに、ＯＬＴ及びＯＮＵを含む受動光ネットワークシステムを開示する。ＯＬＴは、ＯＤＮを用いて少なくとも１つのＯＮＵに接続され、ＯＬＴは、図１０に示されるＯＬＴであり、ＯＮＵは、図１１に示されるＯＮＵである。
【０２１０】
本発明の本実施形態において、Ｇ／Ｅ−ＰＯＮ及び１０Ｇ−ＰＯＮのみが、説明用の一例として用いられているが、このように限定されることはない。ネットワークが進化するにつれて、単一チャネルの４０Ｇ−ＰＯＮ及び単一チャネルの１００Ｇ−ＰＯＮがネットワーク内に存在することができ、本発明における技術的解決手段はまた、複数のプロトコル、及び複数の速度を有するＯＮＵの共存を実現するのに用いられてよい。詳細は、本明細書において説明しない。
【０２１１】
当業者であれば、本発明の各態様又は各態様の可能な実装態様が、システム、方法、又はコンピュータプログラム製品として具体的に実装され得ることを理解し得る。したがって、本発明の各態様又は各態様の可能な実装態様は、ハードウェアのみの実施形態、ソフトウェアのみの実施形態（ファームウェア、常駐ソフトウェアなどを含む）、又はソフトウェアとハードウェアとの組み合わせを有する実施形態の形式を用いてよく、これらは本明細書において一様に、「回路」、「モジュール」、又は「システム」と呼ばれる。さらに、本発明の各態様又は各態様の可能な実装態様は、コンピュータプログラム製品の形式を取ってよく、コンピュータプログラム製品は、コンピュータ可読媒体に格納されたコンピュータ可読プログラムコードである。
【０２１２】
コンピュータ可読媒体は、コンピュータ可読信号媒体、又はコンピュータ可読記憶媒体であってよい。コンピュータ可読記憶媒体は、限定されないが、電子式、磁気式、光学式、電磁式、赤外線式、又は半伝導式のシステム、デバイス、若しくは装置、又はこれらの任意の適切な組み合わせ、例えば、ランダムアクセスメモリ（ＲＡＭ）、リードオンリメモリ（ＲＯＭ）、消去可能プログラマブルリードオンリメモリ（ＥＰＲＯＭ又はフラッシュメモリ）、光ファイバ、コンパクトディスクリードオンリメモリ（ＣＤ−ＲＯＭ）などが含まれる。
【０２１３】
コンピュータ内のプロセッサが、コンピュータ可読媒体に格納されたコンピュータ可読プログラムコードを読み出し、これにより、プロセッサは、フローチャートの各段階又はこれらの段階の組み合わせにおいて規定された機能及び動作を実行することができ、ブロック図の各ブロック又はこれらのブロックの組み合わせにおいて規定された機能及び動作を実装する装置が生み出される。
【０２１４】
全てのコンピュータ可読プログラムコードは、ユーザコンピュータ上で実行されてよく、又は、独立型のソフトウェアパッケージとしてユーザコンピュータ上で実行されてよいものもあり、又は、ユーザのコンピュータ上で実行されてよいものもある一方で、リモートコンピュータ上で実行されるものもあり、又は、全てのコードが、リモートコンピュータ又はサーバ上で実行されてもよい。一部の代替的な実装の解決手段において、フローチャートの各段階、又はブロック図の各ブロックに規定される機能は、例示された順序で行われなくてよいことにも留意されたい。例えば、説明図における２つの連続した段階又は２つのブロックは、関与する機能に依存しており、実際には実質的に同時に実行されてよく、又はこれらブロックは、逆の順序で実行されてよいことがある。
【０２１５】
当業者でれば、本明細書に開示された実施形態で説明された例と組み合わせて、ユニット及びアルゴリズムの段階が、電子的ハードウェア、又はコンピュータソフトウェアと電子的ハードウェアとの組み合わせによって、実装されてよいことを認識し得るであろう。機能がハードウェアによって実行されるか、又はソフトウェアによって実行されるかは、技術的解決手段の特定の応用と設計の制約条件とに依存する。当業者であれば、説明された機能を特定の応用ごとに実装するのに異なる方法を用い得るが、そのような実装が、本発明の範囲を超えるものとみなされるべきではない。
【０２１６】
最後に、前述の実施形態は、単に本発明の技術的解決手段を説明することを意図するものであり、本発明を限定することを意図するものではないことに留意されたい。本発明は、前述の実施形態を参照して詳細に説明されているが、当業者でれば、前述の実施形態において説明された技術的解決手段に対して修正を加えてよく、又は、これらの技術的解決手段の一部又は全ての技術的特徴に対して均等な置き換えを行ってもよいことを理解するはずである。したがって、本発明の保護範囲は、特許請求の範囲の保護範囲によって決まるものとする。
【図１】
2018526918.tif 000013
【図２】
2018526918.tif 000014
【図３Ａ】
2018526918.tif 000015
【図３Ｂ】
2018526918.tif 000016
【図３Ｃ】
2018526918.tif 000017
【図４】
2018526918.tif 000018
【図５】
2018526918.tif 000019
【図６】
2018526918.tif 000020
【図７】
2018526918.tif 000021
【図８】
2018526918.tif 000022
【図９】
2018526918.tif 000023
【図１０】
2018526918.tif 000024
【図１１】
2018526918.tif 000025
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
受動光ネットワークＰＯＮ通信方法であって、
光ネットワークユニットＯＮＵの波長チャネルグループ、及び前記波長チャネルグループ内の波長チャネルを決定する段階と、
第１のメッセージを前記光ネットワークユニットＯＮＵへ送信する段階と
を備え、
前記第１のメッセージは、前記波長チャネルグループを確立するよう前記光ネットワークユニットＯＮＵに命令するために用いられ、前記波長チャネルグループの識別情報、及び前記波長チャネルグループ内の前記波長チャネルの識別情報を搬送する、方法。
【請求項２】
光ネットワークユニットＯＮＵの波長チャネルグループ、及び前記波長チャネルグループ内の波長チャネルを前記決定する段階の前に、
前記方法はさらに、第２のメッセージを前記光ネットワークユニットＯＮＵへ送信する段階を備え、前記第２のメッセージは、前記波長チャネルの識別子を報告するよう前記光ネットワークユニットＯＮＵに要求するために用いられる、請求項１に記載の方法。
【請求項３】
前記方法はさらに、第３のメッセージを前記光ネットワークユニットＯＮＵから受信する段階を備え、前記第３のメッセージは、前記光ネットワークユニットＯＮＵによって報告された前記波長チャネルの前記識別子を搬送する、請求項２に記載の方法。
【請求項４】
前記方法はさらに、前記光ネットワークユニットＯＮＵの前記波長チャネルグループと、前記波長チャネルグループ内の前記波長チャネルとの間のマッピング関係を格納するために、波長チャネルグループマッピングテーブルを光回線終端装置ＯＬＴによってローカルに確立する段階を備える、請求項１から３のいずれか一項に記載の方法。
【請求項５】
前記方法はさらに、第４のメッセージを前記光ネットワークユニットＯＮＵへ送信する段階を備え、前記第４のメッセージは、前記波長チャネルグループに関する情報を更新するよう前記光ネットワークユニットＯＮＵに命令するために用いられる、請求項１から４のいずれか一項に記載の方法。
【請求項６】
前記第１のメッセージはさらに、前記光ネットワークユニットＯＮＵの識別子を搬送する、請求項１から５のいずれか一項に記載の方法。
【請求項７】
前記波長チャネルの前記識別情報は、前記光ネットワークユニットＯＮＵの波長チャネル番号、前記光ネットワークユニットＯＮＵの上り波長情報、前記光ネットワークユニットＯＮＵの下り波長情報、及び前記光ネットワークユニットＯＮＵの上り波長情報及び下り波長情報のうちいずれかである、請求項１から６のいずれか一項に記載の方法。
【請求項８】
前記第１のメッセージは、多地点制御プロトコルＭＰＣＰメッセージ、物理層運用・管理・保守ＰＬＯＡＭメッセージ、運用・管理・保守ＯＡＭメッセージ、及び光ネットワーク終端装置管理・制御インタフェースＯＭＣＩメッセージのうちいずれかである、請求項１から７のいずれか一項に記載の方法。
【請求項９】
前記第２のメッセージは、多地点制御プロトコルＭＰＣＰメッセージ、物理層運用・管理・保守ＰＬＯＡＭメッセージ、運用・管理・保守ＯＡＭメッセージ、及び光ネットワーク終端装置管理・制御インタフェースＯＭＣＩメッセージのうちいずれかである、請求項２に記載の方法。
【請求項１０】
前記第３のメッセージは、多地点制御プロトコルＭＰＣＰメッセージ、物理層運用・管理・保守ＰＬＯＡＭメッセージ、運用・管理・保守ＯＡＭメッセージ、及び光ネットワーク終端装置管理・制御インタフェースＯＭＣＩメッセージのうちいずれかである、請求項３に記載の方法。
【請求項１１】
前記第４のメッセージは、多地点制御プロトコルＭＰＣＰメッセージ、物理層運用・管理・保守ＰＬＯＡＭメッセージ、運用・管理・保守ＯＡＭメッセージ、及び光ネットワーク終端装置管理・制御インタフェースＯＭＣＩメッセージのうちいずれかである、請求項５に記載の方法。
【請求項１２】
受動光ネットワークＰＯＮ通信装置であって、
光ネットワークユニットＯＮＵの波長チャネルグループ、及び前記波長チャネルグループ内の波長チャネルを決定する処理ユニットと、
第１のメッセージを前記光ネットワークユニットＯＮＵへ送信する送信ユニットと
を備え、
前記第１のメッセージは、前記波長チャネルグループを確立するよう前記光ネットワークユニットＯＮＵに命令するために用いられ、前記波長チャネルグループの識別情報、及び前記波長チャネルグループ内の前記波長チャネルの識別情報を搬送する、装置。
【請求項１３】
前記送信ユニットはさらに、第２のメッセージを前記光ネットワークユニットＯＮＵへ送信し、前記第２のメッセージは、前記波長チャネルの識別子を報告するよう前記光ネットワークユニットＯＮＵに要求するために用いられる、請求項１２に記載の装置。
【請求項１４】
前記装置はさらに、第３のメッセージを前記光ネットワークユニットＯＮＵから受信する受信ユニットを備え、前記第３のメッセージは、前記光ネットワークユニットＯＮＵによって報告された前記波長チャネルの前記識別子を搬送する、請求項１３に記載の装置。
【請求項１５】
前記処理ユニットはさらに、前記光ネットワークユニットＯＮＵの前記波長チャネルグループと、前記波長チャネルグループ内の前記波長チャネルとの間のマッピング関係を格納するために、波長チャネルグループマッピングテーブルを確立する、請求項１２から１４のいずれか一項に記載の装置。
【請求項１６】
前記送信ユニットはさらに、前記波長チャネルグループを更新するよう前記光ネットワークユニットＯＮＵに命令するために、波長チャネルグループ更新メッセージを前記光ネットワークユニットＯＮＵへ送信する、請求項１２から１５のいずれか一項に記載の装置。
【請求項１７】
前記第１のメッセージは、多地点制御プロトコルＭＰＣＰメッセージ、運用・管理・保守ＯＡＭメッセージ、物理層運用・管理・保守ＰＬＯＡＭメッセージ、及び光ネットワーク終端装置管理・制御インタフェースＯＭＣＩメッセージのうちいずれかである、請求項１２から１６のいずれか一項に記載の装置。
【請求項１８】
受動光ネットワーク通信方法であって、
第１のメッセージを光回線終端装置ＯＬＴから受信する段階であって、前記第１のメッセージは、波長チャネルグループを確立するよう光ネットワークユニットＯＮＵに命令するために用いられ、前記波長チャネルグループの識別子、及び前記波長チャネルグループ内の波長チャネルの識別子を搬送する、段階と、
前記第１のメッセージに従って、前記波長チャネルグループを確立する段階と
を備える、方法。
【請求項１９】
前記方法はさらに、前記光回線終端装置ＯＬＴによって送信された前記第１のメッセージを受信する段階を備え、前記第１のメッセージは、前記波長チャネルの前記識別子を報告するよう前記光ネットワークユニットＯＮＵに要求するために用いられる、請求項１８に記載の方法。
【請求項２０】
前記方法はさらに、前記光ネットワークユニットＯＮＵの前記波長チャネルの前記識別子を前記光回線終端装置ＯＬＴへ送信する段階を備える、請求項１８又は１９に記載の方法。
【請求項２１】
前記方法はさらに、前記光ネットワークユニットＯＮＵの前記波長チャネルグループと、前記波長チャネルグループ内の前記波長チャネルとの間のマッピング関係を格納するために、波長チャネルグループマッピングテーブルを前記光ネットワークユニットＯＮＵによって確立する段階を備える、請求項１８から２０のいずれか一項に記載の方法。
【請求項２２】
前記第１のメッセージはさらに、前記光ネットワークユニットＯＮＵの識別子を搬送する、請求項１８から２１のいずれか一項に記載の方法。
【請求項２３】
前記波長チャネルの識別情報は、前記光ネットワークユニットＯＮＵの波長チャネル番号、前記光ネットワークユニットＯＮＵの上り波長情報、前記光ネットワークユニットＯＮＵの下り波長情報、及び前記光ネットワークユニットＯＮＵの上り波長情報及び下り波長情報のうちいずれかである、請求項１８から２２のいずれか一項に記載の方法。
【請求項２４】
前記第１のメッセージは、多地点制御プロトコルＭＰＣＰメッセージ、運用・管理・保守ＯＡＭメッセージ、物理層運用・管理・保守ＰＬＯＡＭメッセージ、及び光ネットワーク終端装置管理・制御インタフェースＯＭＣＩメッセージのうちいずれかである、請求項１８から２３のいずれか一項に記載の方法。
【請求項２５】
受動光ネットワークＰＯＮ通信装置であって、
第１のメッセージを光回線終端装置ＯＬＴから受信する受信ユニットであって、前記第１のメッセージは、波長チャネルグループを確立するよう光ネットワークユニットＯＮＵに命令するために用いられ、前記波長チャネルグループの識別子、及び前記波長チャネルグループ内の波長チャネルの識別子を搬送する、受信ユニットと、
前記第１のメッセージに従って、前記波長チャネルグループを確立する処理ユニットと
を備える、装置。
【請求項２６】
前記受信ユニットはさらに、前記光回線終端装置ＯＬＴによって送信された第２のメッセージを受信し、前記第２のメッセージは、前記波長チャネルの前記識別子を報告するよう前記光ネットワークユニットＯＮＵに要求するために用いられる、請求項２５に記載の装置。
【請求項２７】
前記装置はさらに、前記光ネットワークユニットＯＮＵの前記波長チャネルの前記識別子を前記光回線終端装置ＯＬＴへ送信する送信ユニットを備える、請求項２５又は２６に記載の装置。
【請求項２８】
前記処理ユニットはさらに、波長チャネルグループと波長チャネルとの間のマッピング関係に関する情報を格納するために、波長チャネルグループマッピングテーブルを確立する、請求項２５から２７のいずれか一項に記載の装置。
【請求項２９】
受動光ネットワークＰＯＮシステムであって、光回線終端装置ＯＬＴと、少なくとも１つの光ネットワークユニットＯＮＵとを備え、前記光回線終端装置ＯＬＴは、光分配ネットワークＯＤＮを用いて、前記少なくとも１つの光ネットワークユニットＯＮＵに接続され、前記光回線終端装置ＯＬＴは、請求項１２から１７のいずれか一項に記載の装置であり、前記光ネットワークユニットＯＮＵは、請求項２５から２８のいずれか一項に記載の装置である、システム。
【手続補正２】
【補正対象書類名】明細書
【補正対象項目名】００５７
【補正方法】変更
【補正の内容】
【００５７】
図２は、ＴＷＤＭ−ＰＯＮシステムのネットワークアーキテクチャの概略図である。図２に示されるように、ＴＷＤＭ−ＰＯＮシステム１００は、１つのＯＬＴ１１０と、複数のＯＮＵ１２０と、光分配ネットワーク（Ｏｐｔｉｃａｌ  Ｄｉｓｔｒｉｂｕｔｉｏｎ  Ｎｅｔｗｏｒｋ、ＯＤＮ）１３０とを含む。ＯＬＴ１１０は、ＯＤＮ１３０を用いて、ポイントツーマルチポイント方式で複数のＯＮＵ１２０に接続される。ＴＷＤＭ−ＰＯＮシステム１００は、少なくとも１つのＯＬＴを含み得る。複数のＯＮＵ１２０は、ＯＤＮ１３０の光伝送媒体を共有する。ＯＤＮ１３０は、フィーダファイバ１３１と、光パワースプリッタモジュール１３２と、複数の分配ファイバ１３３とを含み得る。光パワースプリッタモジュール１３２は、リモートノード（Ｒｅｍｏｔｅ  Ｎｏｄｅ、ＲＮ）上に配置されてよく、フィーダファイバ１３１を用いてＯＬＴ１１０に接続され、複数の分配ファイバ１３３を用いて複数のＯＮＵ１２０に個別に接続される。ＴＷＤＭ−ＰＯＮシステム１００では、ＯＬＴ１１０と複数のＯＮＵ１２０との間の通信リンクが、複数の波長チャネルを含むことができ、ＯＤＮ１３０の光伝送媒体は、ＷＤＭ方式で、複数の波長チャネルによって共有される。各ＯＮＵ１２０は、ＴＷＤＭ−ＰＯＮシステム１００の複数の波長チャネルのうち１つで動作することができ、各波長チャネルは、１つ又は複数のＯＮＵ１２０のサービスを受け持つことができる。さらに、同じ波長チャネル上で動作するＯＮＵ１２０は、ＴＤＭ方式で波長チャネルを共有することができる。図２において、ＴＷＤＭ−ＰＯＮシステム１００が４つの波長チャネルを含む一例が、説明に用いられている。実際の応用では、ＴＷＤＭ−ＰＯＮシステム１００の波長チャネル数が、ネットワーク要件に従って設定され得ることを理解されたい。
【手続補正３】
【補正対象書類名】明細書
【補正対象項目名】００６３
【補正方法】変更
【補正の内容】
【００６３】
各ＯＮＵ１２０の上り伝送波長及び下り受信波長は、調整可能である。ＯＮＵ１２０は、ＯＬＴ１１０によって指定された波長チャネルに従って、ＯＮＵ１２０の上り伝送波長及び下り受信波長を、波長チャネルの上り波長及び下り波長に個別に調整することができ、その結果、当該波長チャネルを用いて送信及び受信する上りデータ及び下りデータを実現する。例えば、ＯＬＴ１１０が、波長ネゴシエーションプロセスにおいて、波長チャネル１上で動作するようＯＮＵ１２０に命令する場合、ＯＮＵ１２０は、ＯＮＵ１２０の上り伝送波長及び下り受信波長を、第１の上り波長λｕ１及び第１の下り波長λｄ１に個別に調整することができる。ＯＬＴ１１０が、波長チャネル３上で動作するようＯＮＵ１２０に命令する場合、ＯＮＵ１２０は、ＯＮＵ１２０の上り伝送波長及び下り受信波長を、第３の上り波長λｕ３及び第３の下り波長λｄ３に個別に調整することができる。
【手続補正４】
【補正対象書類名】明細書
【補正対象項目名】０１１１
【補正方法】変更
【補正の内容】
【０１１１】
波長チャネルグループを確立することは、第１のメッセージを受信した後に、ＯＮＵが、波長チャネルマッピングテーブルをローカルに確立し、波長チャネルグループと波長チャネルとの間のマッピング関係を確立することであってよいことを理解されたい。その後ＯＬＴが帯域幅をＯＮＵに割り当てる場合、ＯＬＴは、波長チャネルグループを全体として用いることで、帯域幅割り当てを実行することができる。例えば、特定の実装態様において、ＯＬＴは、３０Ｍの帯域幅をＯＮＵ１のチャネルグループ１に割り当て、事前設定されたサービス均衡ルールに従って、この３０Ｍの帯域幅がチャネルグループに割り当てられる。例えば、１０Ｍの帯域幅が、各波長チャネルに割り当てられてよく、又は、５、５、及び２０などの別の帯域幅の組み合わせに従って、割り当てが実行されてよい。
【手続補正５】
【補正対象書類名】明細書
【補正対象項目名】０２１６
【補正方法】変更
【補正の内容】
【０２１６】
最後に、前述の実施形態は、単に本発明の技術的解決手段を説明することを意図するものであり、本発明を限定することを意図するものではないことに留意されたい。本発明は、前述の実施形態を参照して詳細に説明されているが、当業者でれば、前述の実施形態において説明された技術的解決手段に対して修正を加えてよく、又は、これらの技術的解決手段の一部又は全ての技術的特徴に対して均等な置き換えを行ってもよいことを理解するはずである。したがって、本発明の保護範囲は、特許請求の範囲の保護範囲によって決まるものとする。
（項目１）
受動光ネットワークＰＯＮ通信方法であって、
光ネットワークユニットＯＮＵの波長チャネルグループ、及び上記波長チャネルグループ内の波長チャネルを決定する段階と、
第１のメッセージを上記ＯＮＵへ送信する段階と
を備え、
上記第１のメッセージは、上記波長チャネルグループを確立するよう上記ＯＮＵに命令するために用いられ、上記波長チャネルグループの識別情報、及び上記波長チャネルグループ内の上記波長チャネルの識別情報を搬送する、方法。
（項目２）
光ネットワークユニットＯＮＵの波長チャネルグループ、及び上記波長チャネルグループ内の波長チャネルを上記決定する段階の前に、
上記方法はさらに、第２のメッセージを上記ＯＮＵへ送信する段階を備え、上記第２のメッセージは、上記波長チャネルの識別子を報告するよう上記ＯＮＵに要求するために用いられる、項目１に記載の方法。
（項目３）
上記方法はさらに、第３のメッセージを上記ＯＮＵから受信する段階を備え、上記第３のメッセージは、上記ＯＮＵによって報告された上記波長チャネルの上記識別子を搬送する、項目１又は２に記載の方法。
（項目４）
上記方法はさらに、上記ＯＮＵの上記波長チャネルグループと、上記波長チャネルグループ内の上記波長チャネルとの間のマッピング関係を格納するために、波長チャネルグループマッピングテーブルをＯＬＴによってローカルに確立する段階を備える、項目１から３のいずれか一項に記載の方法。
（項目５）
上記方法はさらに、第４のメッセージを上記ＯＮＵへ送信する段階を備え、上記第４のメッセージは、上記波長チャネルグループに関する情報を更新するよう上記ＯＮＵに命令するために用いられる、項目１から４のいずれか一項に記載の方法。
（項目６）
上記第１のメッセージはさらに、上記ＯＮＵの識別子を搬送する、項目１から５のいずれか一項に記載の方法。
（項目７）
上記波長チャネルの上記識別情報は、上記ＯＮＵの波長チャネル番号、上記ＯＮＵの上り波長情報、上記ＯＮＵの下り波長情報、又は上記ＯＮＵの上り波長情報及び下り波長情報である、項目１から６のいずれか一項に記載の方法。
（項目８）
上記第１のメッセージ、上記第２のメッセージ、上記第３のメッセージ、又は上記第４のメッセージは、多地点制御プロトコルＭＰＣＰメッセージである、項目１から７のいずれか一項に記載の方法。
（項目９）
上記第１のメッセージ、上記第２のメッセージ、上記第３のメッセージ、又は上記第４のメッセージは、物理層運用・管理・保守ＰＬＯＡＭメッセージである、項目１から７のいずれか一項に記載の方法。
（項目１０）
上記第１のメッセージ、上記第２のメッセージ、上記第３のメッセージ、又は上記第４のメッセージは、運用・管理・保守ＯＡＭメッセージである、項目１から７のいずれか一項に記載の方法。
（項目１１）
上記第１のメッセージ、上記第２のメッセージ、上記第３のメッセージ、又は上記第４のメッセージは、光ネットワーク終端装置管理・制御インタフェースＯＭＣＩメッセージである、項目１から７のいずれか一項に記載の方法。
（項目１２）
受動光ネットワークＰＯＮ通信装置であって、
光ネットワークユニットＯＮＵの波長チャネルグループ、及び上記波長チャネルグループ内の波長チャネルを決定するように構成された処理ユニットと、
第１のメッセージを上記ＯＮＵへ送信するように構成された送信ユニットと
を備え、
上記第１のメッセージは、上記波長チャネルグループを確立するよう上記ＯＮＵに命令するために用いられ、上記波長チャネルグループの識別情報、及び上記波長チャネルグループ内の上記波長チャネルの識別情報を搬送する、装置。
（項目１３）
上記送信ユニットはさらに、第２のメッセージを上記ＯＮＵへ送信するように構成され、上記第２のメッセージは、上記波長チャネルの識別子を報告するよう上記ＯＮＵに要求するために用いられる、項目１２に記載の装置。
（項目１４）
上記装置はさらに、第３のメッセージを上記ＯＮＵから受信するように構成された受信ユニットを備え、上記第３のメッセージは、上記ＯＮＵによって報告された上記波長チャネルの上記識別子を搬送する、項目１２又は１３に記載の装置。
（項目１５）
上記処理ユニットはさらに、上記ＯＮＵの上記波長チャネルグループと、上記波長チャネルグループ内の上記波長チャネルとの間のマッピング関係を格納するために、波長チャネルグループマッピングテーブルを確立するように構成される、項目１２から１４のいずれか一項に記載の装置。
（項目１６）
上記送信ユニットはさらに、上記波長チャネルグループを更新するよう上記ＯＮＵに命令するために、波長チャネルグループ更新メッセージを上記ＯＮＵへ送信するように構成される、項目１２から１５のいずれか一項に記載の装置。
（項目１７）
上記第１のメッセージはさらに、上記ＯＮＵの識別子を搬送する、項目１２から１６のいずれか一項に記載の装置。
（項目１８）
上記波長チャネルの上記識別子は、上記ＯＮＵの波長チャネル番号、上記ＯＮＵの上り波長情報、上記ＯＮＵの下り波長情報、又は上記ＯＮＵの上り波長情報及び下り波長情報である、項目１２から１７のいずれか一項に記載の装置。
（項目１９）
上記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、項目１２から１８のいずれか一項に記載の装置。
（項目２０）
受動光ネットワーク通信方法であって、
第１のメッセージを光回線終端装置ＯＬＴから受信する段階であって、上記第１のメッセージは、波長チャネルグループを確立するよう光ネットワークユニットＯＮＵに命令するために用いられ、上記波長チャネルグループの識別子、及び上記波長チャネルグループ内の波長チャネルの識別子を搬送する、段階と、
上記第１のメッセージに従って、上記波長チャネルグループを確立する段階と
を備える、方法。
（項目２１）
上記方法はさらに、上記光回線終端装置ＯＬＴによって送信された上記第１のメッセージを受信する段階を備え、上記第１のメッセージは、上記波長チャネルの上記識別子を報告するよう上記光ネットワークユニットＯＮＵに要求するために用いられる、項目２０に記載の方法。
（項目２２）
上記方法はさらに、上記ＯＮＵの上記波長チャネルの上記識別子を上記ＯＬＴへ送信する段階を備える、項目２０又は２１に記載の方法。
（項目２３）
上記方法はさらに、上記ＯＮＵの上記波長チャネルグループと上記波長チャネルとの間のマッピング関係を格納するために、波長チャネルグループマッピングテーブルを上記ＯＮＵによって確立する段階を備える、項目２０から２２のいずれか一項に記載の方法。
（項目２４）
上記第１のメッセージはさらに、上記ＯＮＵの識別子を搬送する、項目２０から２３のいずれか一項に記載の方法。
（項目２５）
上記波長チャネルの上記識別情報は、上記ＯＮＵの波長チャネル番号、上記ＯＮＵの上り波長情報、上記ＯＮＵの下り波長情報、又は上記ＯＮＵの上り波長情報及び下り波長情報である、項目２０から２４のいずれか一項に記載の方法。
（項目２６）
上記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、項目２０から２５のいずれか一項に記載の方法。
（項目２７）
受動光ネットワークＰＯＮ通信装置であって、
第１のメッセージをＯＬＴから受信するように構成された受信ユニットであって、上記第１のメッセージは、波長チャネルグループを確立するようＯＮＵに命令するために用いられ、上記波長チャネルグループの識別子、及び上記波長チャネルグループ内の波長チャネルの識別子を搬送する、受信ユニットと、
上記第１のメッセージに従って、上記波長チャネルグループを確立するように構成された処理ユニットと
を備える、装置。
（項目２８）
上記受信ユニットはさらに、上記光回線終端装置ＯＬＴによって送信された第２のメッセージを受信するように構成され、上記第２のメッセージは、上記波長チャネルの上記識別子を報告するよう上記光ネットワークユニットＯＮＵに要求するために用いられる、項目２７に記載の装置。
（項目２９）
上記装置はさらに、上記ＯＮＵの上記波長チャネルの上記識別子を上記ＯＬＴへ送信するように構成された送信ユニットを備える、項目２７又は２８に記載の装置。
（項目３０）
上記処理ユニットはさらに、波長チャネルグループと波長チャネルとの間のマッピング関係に関する情報を格納するために、波長チャネルグループマッピングテーブルを確立するように構成される、項目２７から２９のいずれか一項に記載の装置。
（項目３１）
上記第１のメッセージはさらに、上記ＯＮＵの識別子を搬送する、項目２７から３０のいずれか一項に記載の装置。
（項目３２）
上記波長チャネルの上記識別情報は、上記ＯＮＵの波長チャネル番号、上記ＯＮＵの上り波長情報、上記ＯＮＵの下り波長情報、又は上記ＯＮＵの上り波長情報及び下り波長情報である、項目２７から３１のいずれか一項に記載の装置。
（項目３３）
上記第１のメッセージは、多地点制御プロトコルＭＰＣＰメッセージ、運用・管理・保守ＯＡＭメッセージ、物理層運用・管理・保守ＰＬＯＡＭメッセージ、又は光ネットワーク終端装置管理・制御インタフェースＯＭＣＩメッセージである、項目２７から３２のいずれか一項に記載の装置。
（項目３４）
受動光ネットワークＰＯＮシステムであって、光回線終端装置ＯＬＴと、少なくとも１つの光ネットワークユニットＯＮＵとを備え、上記ＯＬＴは、光分配ネットワークＯＤＮを用いて、上記少なくとも１つのＯＮＵに接続され、上記ＯＬＴは、項目１２から１９のいずれか一項に記載の装置であり、上記ＯＮＵは、項目２７から３３のいずれか一項に記載の装置である、システム。
【国際調査報告】
2018526918.tif 000026
2018526918.tif 000027
2018526918.tif 000028
2018526918.tif 000029